(57)【要約】  本発明の照明装置（１２）は、各々が一次光を出射する複数の光源（１７）からなる光源列（１７０）と、一次光によって励起されて二次光を放出する蛍光体を含有する波長変換部（３１）と、波長変換部（３１）を収容する収容部（３２）と、収容部（３２）の端部からなり一次光を透過させる非波長変換部（３４，３５）とを有する波長変換部材（３０）と、導光板（１９）とを備える。導光板（１９）と光源列（１７０）との間に波長変換部材（３０）が配される。導光板（１９）は、光入射面（１９ｃ）、光出射面（１９ａ）、反対面（１９ｂ）、反対面（１９ｂ）に形成される光反射・散乱パターン（２２０）を有する。光反射・散乱パターン（２２０）は、非波長変換部（３４，３５）の導光板側において光源（１７）の光出射方向に沿うように配され、一次光を吸収する複数の補色ドット部（２２ａ）を有する。
2017051845.tif 000002
【特許請求の範囲】
【請求項１】
各々が所定の波長領域に含まれる一次光を出射し、かつ互いに列状に並ぶ複数の光源からなる光源列と、  前記一次光によって励起されて前記波長領域とは異なる他の波長領域に含まれる二次光を放出する蛍光体を含有する波長変換部と、前記波長変換部を包囲する形で収容しつつ光透過性を有する長手状の収容部と、前記収容部の長手方向の端部からなり前記光源から出射された前記一次光を透過させる非波長変換部とを有し、前記光源列と対向しつつ前記光源列の長さ方向に沿って配される波長変換部材と、導光板とを備え、  前記導光板と前記光源列との間に前記波長変換部材が配され、  前記導光板は、前記光源から出射された前記一次光が前記波長変換部材を前記光源側から前記導光板側へ透過してなる前記二次光及び前記一次光を含む透過光が入射される光入射面と、    前記透過光を出射させる光出射面と、    前記光出射面の反対側に配される反対面と、    光反射性及び光散乱性を有する光反射・散乱パターンと、を有し、  前記光反射・散乱パターンは、    面状に広がった状態で前記反対面に形成される複数のドット部の集まりからなり、複数の前記ドット部のうち、前記非波長変換部の前記導光板側において前記光源の光出射方向に沿うように配され、前記一次光を吸収して前記一次光が呈する基準色と補色の関係にある色を呈する複数の補色ドット部を有することを特徴とする照明装置。
【請求項２】
前記光反射・散乱パターンは、前記反対面における単位面積当たりの密度が、前記光入射面から遠ざかるにつれて、徐々に高くなるように設定されている請求項１に記載の照明装置。
【請求項３】
前記波長変換部材の前記波長変換部は、前記蛍光体が透明な樹脂中に分散されたものからなり、  前記波長変換部材の前記収容部は、両端が封止された筒体からなり、  前記波長変換部材の前記非波長変換部は、前記筒体の封止された端部からなる請求項１又は請求項２に記載の照明装置。
【請求項４】
前記非波長変換部からなる前記波長変換部材の端部が、前記光入射面に隣接する前記導光板の側端面側に配され、  複数の前記補色ドット部は、前記側端面を含む前記導光板の側端部に沿うように前記反対面に設けられ、  前記波長変換部材は、複数のものからなり、  複数の前記波長変換部材が、長手方向に一列に並べられた状態で、前記光源列と前記光入射面との間に形成される隙間に介在され、  複数の前記補色ドット部は、複数の前記波長変換部材同士が隣り合う部分から前記光源の光出射方向に沿いつつ、前記反対面を横切るように前記反対面に設けられている請求項１から請求項３のいずれか１項に記載の照明装置。
【請求項５】
各々が所定の波長領域に含まれる一次光を出射し、かつ互いに列状に並ぶ複数の光源からなる光源列と、  前記一次光によって励起されて前記波長領域とは異なる他の波長領域に含まれる二次光を放出する蛍光体を含有する波長変換部と、前記波長変換部を包囲する形で収容しつつ光透過性を有する長手状の収容部と、前記収容部の長手方向の端部からなり前記光源から出射された前記一次光を透過させる非波長変換部とを有し、前記光源列と対向しつつ前記光源列の長さ方向に沿って配される波長変換部材と、導光板とを備え、  前記導光板と前記光源列との間に前記波長変換部材が配され、  前記導光板は、前記光源から出射された前記一次光が前記波長変換部材の前記光源側から前記導光板側へ透過してなる前記二次光及び前記一次光を含む透過光が入射される光入射面と、前記透過光を出射させる光出射面と、前記光出射面の反対側に配される反対面とを有し、  前記反対面を覆うように配され、光を反射する反射部材と、  前記一次光が呈する基準色と補色の関係にある色を呈し、前記反対面のうち、前記非波長変換部から、前記光源の光出射方向に沿って延びた部分と重なるように前記反対面と前記反射部材との間に介在される補色部材とを備える照明装置。
【請求項６】
前記波長変換部材の前記波長変換部は、前記蛍光体が透明な樹脂中に分散されたものからなり、  前記波長変換部材の前記収容部は、両端が封止された筒体からなり、  前記波長変換部材の前記非波長変換部は、前記筒体の封止された端部からなる請求項５に記載の照明装置。
【請求項７】
前記非波長変換部からなる前記波長変換部材の少なくとも一方の端部が、前記光入射面に隣接する前記導光板の側端面側に配され、  前記補色部材は、前記側端面を含む前記導光板の側端部に沿うように前記反対面と前記反射部材との間に介在される請求項５又は請求項６に記載の照明装置。
【請求項８】
前記波長変換部材は、複数のものからなり、  複数の前記波長変換部材が、長手方向に一列に並べられた状態で、前記光源列と前記光入射面との間に形成される隙間に介在され、  前記補色部材は、複数の前記波長変換部材同士が隣り合う部分から前記光源の光出射方向に沿いつつ、前記反対面を横切るように前記反対面と前記反射部材との間に介在される請求項５から請求項７のいずれか１項に記載の照明装置。
【請求項９】
前記波長変換部は、前記蛍光体として、量子ドット蛍光体を含む請求項１から請求項８のいずれか１項に記載の照明装置。
【請求項１０】
光源と、  外周端面の少なくとも一部であって前記光源からの光が入射される入光端面と一対の板面のいずれかであって光を出射させる出光板面とを有する導光板と、  前記入光端面の長さ方向に沿って延在するとともに前記光源と前記入光端面との間に介在する形で配されて前記光源からの光を波長変換する蛍光体を有する主波長変換部と、  前記導光板のうち前記主波長変換部における前記長さ方向の端側部分に対して前記長さ方向について重なる部分と、前記導光板のうち前記端側部分に対して前記長さ方向について外側に配される部分と、の少なくともいずれか一方に配されて前記光源からの光を波長変換する副波長変換部と、を備える照明装置。
【請求項１１】
前記導光板は、前記外周端面のうち前記入光端面と隣り合う端面が、前記光源からの光が直接入射されることのない非入光側端面とされており、  前記副波長変換部は、少なくとも前記非入光側端面に重なる形で配されている請求項１０記載の照明装置。
【請求項１２】
前記副波長変換部に重なる形で配されるとともに前記副波長変換部を透過した光を反射させる端面反射部材を備え、  前記導光板の前記出光板面とは反対側の板面と対向する形で配されるとともに光を反射する反射部材を備えており、  前記端面反射部材は、前記反射部材に一体形成されている請求項１１記載の照明装置。
【請求項１３】
前記主波長変換部は、前記蛍光体として、量子ドット蛍光体を含む請求項１０から請求項１２のいずれか１項に記載の照明装置。
【請求項１４】
請求項１から請求項１２のいずれか１項に記載の照明装置と、前記照明装置からの光を利用して画像を表示させる表示パネルとを備える表示装置。
【請求項１５】
請求項１４に記載の表示装置を備えるテレビ受信装置。
【発明の詳細な説明】
【技術分野】
【０００１】  本発明は、照明装置、表示装置及びテレビ受信装置に関する。
【背景技術】
【０００２】  液晶表示装置は、液晶パネルと共に、液晶パネルに光を供給する照明装置（バックライト装置）を備えている。この種の照明装置としては、導光板の端面に沿う形でＬＥＤ（Light Emitting Diode）が配設される、所謂エッジライト型（又はサイドライト型）のものが知られている。このような照明装置は、液晶パネルの背面側に配され、液晶パネルの背面に向かって面状に広がった光を供給する。【０００３】  また、近年、量子ドット蛍光体（Quantum Dot Phosphor）を樹脂中に分散させたものをガラス製の筒状容器内に密閉した状態で充填した蛍光体チューブを波長変換部材として利用するエッジライト式の照明装置が知られている（例えば、特許文献１）。この種の照明装置では、ＬＥＤと、光が入射される導光板の端面（光入射面）との間に長手状の蛍光体チューブが配される構成となっている。【０００４】  ＬＥＤから出射された一次光（例えば、青色光）が蛍光体チューブに供給されると、その光の一部が蛍光体チューブ内の量子ドット蛍光体を励起し、残りの光が蛍光体チューブ中を透過することになる。量子ドット蛍光体が一次光によって励起されると、その量子ドット蛍光体からは、一次光とは異なった波長の二次光（例えば、緑色光及び赤色光）が放出される。つまり、量子ドット蛍光体は、一次光を二次光に波長変換する機能を備えている。蛍光体チューブから放出された二次光は、蛍光体チューブを透過する一次光と互いに混ざり合うため、結果的に、蛍光体チューブからは、白色光が出射される。【０００５】  さらに、バックライトの一例として下記特許文献２に記載されたものも知られている。この特許文献２に記載されたバックライトである面状光源は、青色が発光可能なＬＥＤと、ＬＥＤの発光により励起されて蛍光を発する蛍光物質が具備された波長変換体と、ＬＥＤと波長変換体を介して設けられＬＥＤからの発光と蛍光物質からの発光とを合成した発光を端面より導入し発光観測面側から放出する導光板からなる。
【先行技術文献】
【特許文献】
【０００６】
【特許文献１】特開２０１４−２２５３７９号公報
【特許文献２】特許第３１１４８０５号公報
【０００７】（発明が解決しようとする課題）  上記特許文献１の照明装置において、蛍光体チューブの長手方向の端部は、量子ドット蛍光体を含んでいない光透過性を有する材質（例えば、ガラス）のみからなる。そのため、蛍光体チューブの端部に、ＬＥＤから一次光が供給されると、その一次光は波長変換されずにそのまま端部を透過することになる。つまり、蛍光体チューブの端部からは、一次光の存在比率が高い光が、導光板側へ出射されることになる。すると、その光は、光入射面から導光板内に入射し、更に導光板内を直線的に伝播しながら導光板の表側の板面から出射される。このように、一次光の存在比率が高い光が、導光板内を伝播しながら導光板から出射されると、照明装置から出射される面状の光において、蛍光体チューブの端部から、ＬＥＤの光出射方向に沿って導光板内を直線的に延びた範囲から出射される光が、その他の範囲から出射される光よりも、光源の一次光の色彩で色付くことがあった。【０００８】  また、上記した特許文献２に記載されたような波長変換体は、導光板の端面の長さ方向に沿って延在しているが、その長さ方向の端縁には蛍光物質が配置されない領域が生じるものとされる。ここで、バックライトの狭額縁化が進行すると、波長変換体における蛍光物質が配置されない領域がＬＥＤと重なり合う位置関係となり易く、それに起因してＬＥＤからの光が蛍光体により波長変換されずに導光板の端面における長さ方向の端側部分に入射してしまい、色ムラが発生することが懸念されていた。
【発明の概要】
【０００９】  本発明の目的は、波長変換部材を利用するエッジライト式の照明装置において、波長変換部材の端部から、光源の光出射方向に沿って直線的に延びた範囲から出射される光が、その他の範囲から出射される光よりも、光源の一次光の色彩で色付く出射光の色ムラを抑制する技術を提供することである。
【００１０】（課題を解決するための手段）  本発明に係る照明装置は、その第１の態様として、各々が所定の波長領域に含まれる一次光を出射し、かつ互いに列状に並ぶ複数の光源からなる光源列と、前記一次光によって励起されて前記波長領域とは異なる他の波長領域に含まれる二次光を放出する蛍光体を含有する波長変換部と、前記波長変換部を包囲する形で収容しつつ光透過性を有する長手状の収容部と、前記収容部の長手方向の端部からなり前記光源から出射された前記一次光を透過させる非波長変換部とを有し、前記光源列と対向しつつ前記光源列の長さ方向に沿って配される波長変換部材と、導光板とを備え、前記導光板と前記光源列との間に前記波長変換部材が配され、前記導光板は、前記光源から出射された前記一次光が前記波長変換部材を前記光源側から前記導光板側へ透過してなる前記二次光及び前記一次光を含む透過光が入射される光入射面と、前記透過光を出射させる光出射面と、前記光出射面の反対側に配される反対面と、光反射性及び光散乱性を有する光反射・散乱パターンと、を有し、前記光反射・散乱パターンは、面状に広がった状態で前記反対面に形成される複数のドット部の集まりからなり、複数の前記ドット部のうち、前記非波長変換部の前記導光板側において前記光源の光出射方向に沿うように配され、前記一次光を吸収して前記一次光が呈する基準色と補色の関係にある色を呈する複数の補色ドット部を有することを特徴とする。前記照明装置は、上記構成を備えることにより、波長変換部材の端部から、光源の光出射方向に沿って直線的に延びた範囲から出射される光が、その他の範囲から出射される光よりも、光源の一次光の色彩で色付く出射光の色ムラを抑制することができる。
【００１１】  本発明に係る照明装置は、その第２の態様として、各々が所定の波長領域に含まれる一次光を出射し、かつ互いに列状に並ぶ複数の光源からなる光源列と、前記一次光によって励起されて前記波長領域とは異なる他の波長領域に含まれる二次光を放出する蛍光体を含有する波長変換部と、前記波長変換部を包囲する形で収容しつつ光透過性を有する長手状の収容部と、前記収容部の長手方向の端部からなり前記光源から出射された前記一次光を透過させる非波長変換部とを有し、前記光源列と対向しつつ前記光源列の長さ方向に沿って配される波長変換部材と、導光板とを備え、前記導光板と前記光源列との間に前記波長変換部材が配され、前記導光板は、前記光源から出射された前記一次光が前記波長変換部材の前記光源側から前記導光板側へ透過してなる前記二次光及び前記一次光を含む透過光が入射される光入射面と、前記透過光を出射させる光出射面と、前記光出射面の反対側に配される反対面とを有し、前記反対面を覆うように配され、光を反射する反射部材と、前記一次光が呈する基準色と補色の関係にある色を呈し、前記反対面のうち、前記非波長変換部から、前記光源の光出射方向に沿って延びた部分と重なるように前記反対面と前記反射部材との間に介在される補色部材とを備える。本発明の照明装置は、上記構成を備えることにより、波長変換部材の端部から、光源の光出射方向に沿って直線的に延びた範囲から出射される光が、その他の範囲から出射される光よりも、光源の一次光の色彩で色付くことが抑制される。
【００１２】  本発明に係る照明装置は、その第３の態様として、光源と、外周端面の少なくとも一部であって前記光源からの光が入射される入光端面と一対の板面のいずれかであって光を出射させる出光板面とを有する導光板と、前記入光端面の長さ方向に沿って延在するとともに前記光源と前記入光端面との間に介在する形で配されて前記光源からの光を波長変換する蛍光体を有する主波長変換部と、前記導光板のうち前記主波長変換部における前記長さ方向の端側部分に対して前記長さ方向について重なる部分と、前記導光板のうち前記端側部分に対して前記長さ方向について外側に配される部分と、の少なくともいずれか一方に配されて前記光源からの光を波長変換する副波長変換部と、を備える。このようにすれば、光源から発せられた光は、光源と入光端面との間に介在する形で配される主波長変換部に有される蛍光体にて波長変換されるなどしてから導光板の入光端面に入射されて導光板内を伝播された後に出光板面から出射される。この主波長変換部は、入光端面の長さ方向に沿って延在しているが、長さ方向の端縁には蛍光体が配置されない領域が生じるものとされる。ここで、当該照明装置の狭額縁化が進行すると、主波長変換部における蛍光体が配置されない領域が光源と重なり合う位置関係となり易く、それに起因して光源からの光が蛍光体により波長変換されずに導光板の入光端面における長さ方向の端側部分に入射することが懸念されていた。これに対し、導光板のうち主波長変換部における長さ方向の端側部分と長さ方向について重なる部分と、導光板のうち端側部分に対して長さ方向について外側に配される部分と、の少なくともいずれか一方には、光源からの光を波長変換する副波長変換部が配されているから、主波長変換部における長さ方向の端縁に蛍光体が配置されない領域が生じ、その領域が光源と長さ方向について重なり合うような位置関係になることに起因して主波長変換部における長さ方向の端側部分を透過した光に、蛍光体により波長変換されないものが含まれていても、その光を上記副波長変換部によって波長変換することができる。これにより、導光板の出光板面のうち入光端面の長さ方向についての端側部分から出射される光の色味と、出光板面のうち入光端面の長さ方向についての中央側部分から出射される光の色味と、に差が生じ難くなるので、狭額縁化が進行しても出光板面から出射される光に色ムラが発生し難いものとなる。
【００１３】  また、本発明に係る表示装置は、前記照明装置と、前記照明装置からの光を利用して画像を表示させる表示パネルとを備える。前記表示装置において、前記表示パネルは、液晶パネルからなるものであってもよい。また、本発明に係るテレビ受信装置は、前記表示装置を備える。
【００１４】（発明の効果）  本発明によれば、波長変換部材を利用するエッジライト式の照明装置において、波長変換部材の端部から、光源の光出射方向に直線的に延びた範囲から出射される光が、その他の範囲から出射される光よりも、光源の一次光の色彩で色付く出射光の色ムラを抑制する技術を提供できる。
【図面の簡単な説明】
【００１５】
【図１】本発明の実施形態１に係るテレビ受信装置の概略構成を示す分解斜視図
【図２】図１のＡ−Ａ線断面図
【図３】ＬＥＤ付近を拡大した液晶表示装置の拡大断面図
【図４】表面側から見た状態のＬＥＤ列、蛍光体チューブ及び導光板の配置関係を模式的に表した平面図
【図５】蛍光体チューブの平面図
【図６】裏面側から見た状態のＬＥＤ列、蛍光体チューブ及び導光板の配置関係を模式的に表した平面図
【図７】実施形態２の照明装置に利用される、表面側から見た状態の複数のＬＥＤ列、複数の蛍光体チューブ及び導光板との配置関係を模式的に表した平面図
【図８】実施形態２の照明装置に利用される、裏面側から見た状態の複数のＬＥＤ列、複数の蛍光体チューブ及び導光板との配置関係を模式的に表した平面図
【図９】実施形態３に係る液晶表示装置の光入射面付近の拡大断面図
【図１０】ホルダの正面図
【図１１】変形例１の補色ドット部を示す図
【図１２】変形例２の補色ドット部を示す図
【図１３】変形例３の補色ドット部を示す図
【図１４】他の実施形態に係る光反射・散乱パターンの一部を示す図
【図１５】他の実施形態に係る補色ドット部の断面図
【図１６】実施形態４に係るＡ−Ａ線断面図（実施形態１の図２と同様の断面図）
【図１７】図１６のＬＥＤ８０１７付近を拡大した拡大断面図
【図１８】表面側から見た状態のＬＥＤ列、蛍光体チューブ及び導光板の配置関係を模式的に表した平面図
【図１９】裏面側から見た状態のＬＥＤ列、蛍光体チューブ及び導光板の配置関係を模式的に表した平面図
【図２０】表面側から見た状態のＬＥＤ列、蛍光体チューブ、導光板、補色部材及び反射シートの配置関係を模式的に表した平面図
【図２１】ＬＥＤ列の左端に配されるＬＥＤ付近にける液晶表示装置の拡大断面図
【図２２】光源非対向隣接端部付近における液晶表示装置の拡大断面図
【図２３】実施形態５に係る源非対向隣接端部付近における液晶表示装置の拡大断面図
【図２４】実施形態６の照明装置で利用されるＬＥＤ列、蛍光体チューブ及び導光板の配置関係を模式的に表した平面図
【図２５】実施形態７に係る液晶表示装置の光入射面付近の拡大断面図
【図２６】ホルダの正面図
【図２７】実施形態８に係るテレビ受信装置が備える液晶表示装置の概略構成を示す分解斜視図
【図２８】液晶表示装置が備えるバックライト装置を構成するシャーシ、ＬＥＤ基板及び導光板の平面図
【図２９】液晶表示装置を短辺方向に沿って切断した断面構成を示す断面図
【図３０】液晶表示装置を長辺方向に沿って切断した断面構成を示す断面図
【図３１】ＬＥＤ及びＬＥＤ基板の断面図
【図３２】図２９の拡大図
【図３３】図２９のviii-viii線断面図
【図３４】図３３の拡大図
【図３５】副波長変換部の断面図
【図３６】導光板の非入光側端面付近を拡大した断面図
【図３７】実施形態９に係るバックライト装置の平断面図
【図３８】図３７の拡大図
【図３９】本発明の実施形態１０に係るバックライト装置の拡大平断面図
【図４０】本発明の実施形態１１に係るバックライト装置の拡大平断面図
【図４１】図３９のxvi-xvi線断面図
【図４２】本発明の実施形態１２に係るバックライト装置の拡大正断面図
【図４３】本発明の実施形態１３に係るバックライト装置の拡大正断面図
【図４４】本発明の実施形態１４に係るバックライト装置の拡大正断面図
【図４５】本発明の実施形態１５に係るバックライト装置の拡大正断面図
【図４６】本発明の実施形態１６に係るバックライト装置の拡大側断面図
【図４７】ホルダの正面図
【図４８】ホルダの背面図
【図４９】本発明の実施形態１７に係るバックライト装置の平面図
【図５０】本発明の実施形態１８に係るバックライト装置の平面図
【図５１】本発明の実施形態１９に係るバックライト装置の平面図
【図５２】本発明の実施形態２０に係るバックライト装置の平面図
【図５３】本発明の実施形態２１に係るバックライト装置の拡大平断面図
【図５４】図５３のxxix-xxix線断面図
【図５５】本発明の実施形態２２に係るバックライト装置の拡大平断面図
【図５６】本発明の実施形態２３に係るバックライト装置の拡大平断面図
【発明を実施するための形態】
【００１６】  ＜実施形態１＞  本発明の実施形態１を、図１〜図６を参照しつつ説明する。本実施形態では、照明装置（バックライト装置）１２を備えるテレビ受信装置１０ＴＶ（液晶表示装置１０の一例）について例示する。なお、各図面には、説明の便宜上、Ｘ軸、Ｙ軸及びＺ軸が示されている。先ず、テレビ受信装置１０ＴＶ及び液晶表示装置１０について説明する。図１は、本発明の実施形態１に係るテレビ受信装置１０ＴＶの概略構成を示す分解斜視図であり、図２は、図１のＡ−Ａ線断面図であり、図３は、ＬＥＤ１７付近を拡大した液晶表示装置１０の拡大断面図である。テレビ受信装置１０ＴＶは、図１に示されるように、主として、液晶表示装置（表示装置の一例）１０と、その液晶表示装置１０を前後（表裏）両側から挟むようにして収容する表裏両キャビネット１０Ｃａ，１０Ｃｂと、電源１０Ｐと、テレビ信号を受信するチューナー（受信部）１０Ｔと、スタンド１０Ｓとを備えている。
【００１７】  本実施形態の液晶表示装置１０は、全体的には、左右方向に長く延びた横長の矩形状をなしている。また、液晶表示装置１０は、図２に示されるように、主として、表示パネルとして利用される液晶パネル１１と、液晶パネル１１に対して光を供給する外部光源としての照明装置（バックライト装置）１２と、液晶パネル１１及び照明装置１２等を保持する枠状のベゼル１３等を備えている。液晶パネル１１は、主として、一対の透明な基板と、それらの間で挟まれる形で封止される液晶層とを備えたものからなり、照明装置１２から出射される光を利用して、パネル面上に視認可能な状態で画像を表示させる。液晶パネル１１は、全体的には、平面視で横長の矩形状をなしている。
【００１８】  照明装置１２は、液晶パネル１１の背面側に配され、液晶パネル１１に向けて光を供給する装置である。照明装置１２は、白色光を出射するように構成されている。なお、本実施形態の照明装置１２は、所謂エッジライト型（又はサイドライト型）である。照明装置１２は、図２に示されるように、シャーシ１４、光学部材１５、フレーム１６、ＬＥＤ１７、ＬＥＤ基板１８、導光板１９、反射シート２０、蛍光体チューブ（波長変換部材）３０等を備えている。
【００１９】  シャーシ１４は、全体的には、表側に開口した略箱型をなし、例えば、アルミニウム板や電気亜鉛めっき鋼板（ＳＥＣＣ）等の金属板から構成される。シャーシ１４は、液晶パネル１１等と同様、平面視略矩形状をなした底板１４ａと、その底板１４ａの周縁から立ち上がりつつ底板１４ａを取り囲む側壁板１４ｂとを備えている。シャーシ１４の内側には、ＬＥＤ１７、蛍光体チューブ３０、ＬＥＤ基板１８、反射シート２０、導光板１９、光学部材１５等の各種部材が収容される。なお、シャーシ１４の外側には、図示されないコントロール基板やＬＥＤ駆動基板等の基板類が取り付けられている。シャーシ１４内において、底板１４ａの表面を覆うように反射シート２０が敷かれている。反射シート（反射部材の一例）２０は、光反射性のシート状の部材であり、例えば、白色の発泡ポリエチレンテレフタレート（白色プラスチックシートの一例）等からなる。また、シャーシ１４内において、反射シート２０に載せられる形で、導光板１９が収容されている。
【００２０】  導光板１９は、屈折率が空気よりも十分に高く、透明であり、光透過性に優れる合成樹脂材料（例えば、ＰＭＭＡ等のアクリル系樹脂、ポリカーボネート樹脂等）からなる。導光板１９は、液晶パネル１１等と同様、平面視で略矩形状をなす板状部材からなり、表面１９ａが液晶パネル１１と対向し、裏面（反対面）１９ｂが反射シート２０と対向する形で、シャーシ１４内に収容されている。導光板１９の表面１９ａは、液晶パネル１１側に向けて光を出射する光出射面１９ａとなっている。光出射面１９ａと液晶パネル１１との間には、光学部材１５がフレーム１６に支持された状態で配される。また、導光板１９の一方の長辺側端面１９ｃは、ＬＥＤ１７からの光が、蛍光体チューブ３０越しに入射される光入射面１９ｃとなっている。なお、光入射面１９ｃを含む導光板１９の端部を、入射端部１９０と称する。導光板１９の他方の長辺側端面１９ｄ、導光板１９の２つの短辺側端面１９ｅ，１９ｆは、光源（ＬＥＤ１７）と対向していないため、それらを「光源非対向端面」と称する場合がある。また、光源非対向端面を含む導光板の端部１９１，１９２，１９３を、「光源非対向端部」と称する場合がある。また、光入射面１９ｃに隣接し、ＬＥＤ（光源）１７と対向しない導光板１９の短辺側端面１９ｅ，１９ｆを「光源非対向隣接端面」と称し、その光源非対向隣接端面を含む導光板１９の端部１９２，１９３を「光源非対向隣接端部」と称する場合がある。また、光入射面１９ｃの反対側にある光源非対向端面（長辺側端面１９ｄ）を、「反対側光源非対向端面」と称し、その反対側光源非対向端面を含む導光板１９の端部１９１を、「反対側光源非対向端部」と称する場合がある。
【００２１】  フレーム１６は、全体的には、導光板１９の外周端部を表側から覆うような枠状（額縁状）をなし、シャーシ１４の開口部分に表側から組み付けられる。フレーム１６は、例えば、合成樹脂からなり、光反射性を有するように白色塗装されている。フレーム１６は、平面視で枠状をなしつつその内周縁側が、シャーシ１４内に収容された状態の導光板１９の外周端部に表側から宛がわれる枠本体部１６１と、その枠本体部１６１からシャーシ１４の底板１４ａ側に向って延びつつ、シャーシ１４内に収容される立壁部１６２とを備えている。
【００２２】  枠本体部１６１は、内周縁側が導光板１９の外周端部と重なり、かつ外周縁側がシャーシ１４の側壁板１４ｂの上端部と重なるような所定の幅を持った枠状をなしている。枠本体部１６１の内周縁側の裏面には、ウレタンフォーム等からなる弾性部材２１が取り付けられている。本実施形態の弾性部材２１は、黒色であり、遮光性を備えている。弾性部材２１は、全体的には枠状（環状）をなし、導光板１９の外周端部に対して表側から当接される。また、枠本体部１６１の内周縁側の表面は、外周縁側の表面よりも一段低くなるように設定されており、その低くなった部分に光学部材１５の端部が載せられる。なお、枠本体部１６１の内周縁側の表面には、図示されない突起部が設けられており、その突起部に光学部材１５の端部に設けられている孔部が嵌められることで、光学部材１５が枠本体部１６１に支持される。
【００２３】  立壁部１６２は、枠本体部１６１の外周縁側の裏面からシャーシ１４の底板１４ａに向かって延びつつ、導光板１９の端面１９ｃ等と対向するような板状をなしている。また、立壁部１６２は、全体的には、導光板１９の周りを囲むような筒状をなしている。このような立壁部１６２のうち、導光板１９の一方の長辺側端面１９ｃと対向する部分には、ＬＥＤ１７を実装したＬＥＤ基板１８が取り付けられている。なお、ＬＥＤ基板１８が取り付けられる部分以外の残りの部分は、それぞれ導光板１９の端面とシャーシ１４の側壁板１４ｂとの間に収まる形でシャーシ１４内に収容される。
【００２４】  ＬＥＤ（光源の一例）１７は、発光源であるチップ状の青色ＬＥＤ素子（青色発光素子）と、その青色ＬＥＤ素子を封止する透明な封止材と、青色ＬＥＤ素子及び封止材を収容する略箱型のケース部とを備えており、青色光を発光するように構成されている。なお、青色ＬＥＤ素子は、例えば、ＩｎＧａＮ等からなる半導体であり、順方向に電圧が印加されることで、青色光の波長領域（約４２０ｎｍ〜約５００ｎｍ）に含まれる光（つまり、青色光）を出射する。なお、本明細書において、ＬＥＤ１７から発せられる光を、一次光と称する場合がある。
【００２５】  図４は、表面側から見た状態のＬＥＤ列１７０、蛍光体チューブ３０及び導光板１９の配置関係を模式的に表した平面図である。ＬＥＤ１７は、所謂、頂面発光型であり、長尺状をなしたＬＥＤ基板１８の板面（実装面）１８ａ上に表面実装されている。ＬＥＤ１７は、ＬＥＤ基板１８上に、等間隔で一列に並ぶように複数個実装されている。なお、複数個のＬＥＤ１７が互いに列状に並んだものを、ＬＥＤ列（光源列の一例）１７０と称する。
【００２６】  ＬＥＤ１７は、ＬＥＤ基板１８に実装された状態で、発光面１７ａが導光板１９の一方の長辺側端面（光入射面）１９ｃと蛍光体チューブ３０越しに対向するように、フレーム１６の立壁部１６２に取り付けられた状態で、シャーシ１４内に収容されている。蛍光体チューブ３０は、後述するように、ＬＥＤ１７の発光面１７ａと導光板１９の長辺側端面（光入射面）１９ｃとの間に、配設されている。蛍光体チューブ３０の詳細は、後述する。ＬＥＤ１７は、光入射面１９ｃの手前側に配されている蛍光体チューブ３０に向けて光（一次光、青色光）を出射する。なお、本明細書において、ＬＥＤ１７の発光面１７ａが向く方向（ＬＥＤ１７の光出射方向、ＬＥＤ１７の光軸方向Ｌ）を「前方」とし、その反対方向を「後方」と称する場合がある。
【００２７】  光学部材１５は、液晶パネル１１等と同様、平面視で横長の略矩形状をなしている。光学部材１５は、その外周端部が、フレーム１６の枠本体部１６１に表側から載せられる形で、導光板１９の光出射面１９ａと液晶パネル１１の背面との間に配される。光学部材１５は、所定の光学作用を付与しつつ、導光板１９から出射された光を液晶パネル１１側へ透過させる機能を備えている。光学部材１５は、互いに積層される複数枚のシート状の部材（光学シート）からなる。光学部材１５を構成する具体的な部材（光学シート）としては、例えば、拡散シート、レンズシート、反射型偏光シート等が挙げられる。
【００２８】  ここで、蛍光体チューブ（波長変換部材）３０について説明する。図５は、蛍光体チューブ３０の平面図である。蛍光体チューブ３０は、全体的には、長手状をなしており、複数個のＬＥＤ１７が一列に並ぶ方向（本実施形態の場合、導光板１９の長辺方向）に沿うように、ＬＥＤ１７の発光面１７ａと導光板１９の光入射面１９ｃとの間の隙間に配設されている。蛍光体チューブ３０は、ＬＥＤ１７からの光（一次光）の一部を、光入射面１９ｃ側にそのまま透過させると共に、ＬＥＤ１７からの光の一部を吸収してその光を他の波長領域の光（二次光）に変換して放出する機能を備えている。蛍光体チューブ３０は、量子ドット蛍光体（蛍光体の一例）を含有する波長変換部３１と、波長変換部３１を包囲する形で収容しつつ光透過性を有する長手状の収容部３２とを備えている。
【００２９】  波長変換部３１は、ＬＥＤ１７から出射された一次光（本実施形態の場合、青色光）を、一次光の波長領域とは異なる他の波長領域に含まれる二次光（本実施形態の場合、緑色光及び赤色光）に変換して放出する機能を備えている。なお、波長変換部３１に入射された一次光のうち、波長変換部３１中に含まれる量子ドット蛍光体に吸収されたものが二次光に波長変換され、量子ドット蛍光体に吸収されなかった一次光は、そのまま波長変換部３１を透過することになる。波長変換部３１は、例えば、量子ドット蛍光体が添加された樹脂の硬化物からなる。量子ドット蛍光体が添加される樹脂としては、例えば、透明な紫外線硬化型樹脂が挙げられる。なお、本実施形態の波長変換部３１は、長手状の収容部５２に収容された状態で、収容部５２の長手方向に沿って延びた形をなしている。
【００３０】  量子ドット蛍光体は、優れた量子効率を有する蛍光体であり、ナノサイズ（例えば、直径２ｎｍ〜１０ｎｍ程度）の半導体結晶中に、電子・正孔や励起子を三次元空間全方位で閉じ込めることで、離散的エネルギー準位を有し、そのドットのサイズを変えることで発光光のピーク波長（発光色）等を自由に選択することができる。本実施形態の場合、波長変換部３１中には、量子ドット蛍光体として、緑色光（約５００ｎｍ〜約５７０ｎｍの波長領域）を発光する緑色量子ドット蛍光体と、赤色光（約６００ｎｍ〜約７８０ｎｍの波長領域）を発光する赤色量子ドット蛍光体とが配合される。緑色量子ドット蛍光体及び赤色量子ドット蛍光体から発せられる緑色光の発光スペクトル及び赤色光の発光スペクトルは、それぞれシャープなピークを有しており、それらの半値幅が狭くなることから、緑色光及び赤色光の各純度は、極めて高くなり、それらの色域も広くなる。
【００３１】  緑色量子ドット蛍光体は、ＬＥＤ１７からの光（青色光、一次光）を吸収して励起し、緑色光（約５００ｎｍ〜約５７０ｎｍの波長領域）を放出する。つまり、緑色量子ドット蛍光体は、ＬＥＤ１７からの光（青色光、一次光）を、波長領域の異なる他の光（緑色光、二次光）に変換する機能を備えている。赤色量子ドット蛍光体は、ＬＥＤ１７からの光（青色光、一次光）を吸収して励起し、赤色光（約６００ｎｍ〜約７８０ｎｍの波長領域）を放出する。つまり、赤色量子ドット蛍光体は、ＬＥＤ１７からの光（青色光、一次光）を、波長領域の異なる他の光（赤色光、二次光）に変換する機能を備えている。量子ドット蛍光体に用いられる材料としては、２価の陽イオンになり得るＺｎ、Ｃｄ、Ｐｂ等と、２価の陰イオンになり得るＯ、Ｓ、Ｓｅ、Ｔｅ等とを組み合わせた材料（例えば、セレン化カドミウム（ＣｄＣｅ）、硫化亜鉛（ＺｎＳ）等）、３価の陽イオンとなり得るＧａ、Ｉｎ等と３価の陰イオンとなり得るＰ、Ａｓ、Ｓｂ等とを組み合わせた材料（例えば、リン化インジウム（ＩｎＰ）、ヒ化ガリウム（ＧａＡｓ）等）、更にはカルコパイライト型化合物（ＣｕＩｎＳｅ２等）等が挙げられる。本実施形態では、量子ドット蛍光体の材料の一例として、ＣｄＳｅが用いられる。本実施形態において、量子ドット蛍光体（緑色量子ドット蛍光体、及び赤色量子ドット蛍光体）は、波長変換部３１を構成する樹脂中に、略均一となるように分散配合される。なお、波長変換部３１中には、散乱剤等の他の成分が含まれてもよい。
【００３２】  収容部３２は、全体的には長手状をなしており、波長変換部３１を収容した状態で両端が閉塞された光透過性を有する筒体からなる。収容部３２としては、例えば、一方の端部が開口しかつ他方の端部が閉塞したガラス製の筒体（例えば、ガラス管）を、内側に波長変換部５１を収容させた状態で、前記一方の端部を閉塞したものからなる。収容部３２は、波長変換部３１を取り囲む透明な筒状の壁からなり、内側に波長変換部３１を収容する空間を有する長手状の筒状本体部３３と、筒状本体部３３の長手方向の両端を閉塞（封止）する封止端部（非波長変換部）３４，３５とからなる。なお、封止端部（非波長変換部）３４，３５は、収容部３２の長手方向の各端部であり、また蛍光体チューブ３０の各端部でもある。
【００３３】  蛍光体チューブ３０は、例えば、量子ドット蛍光体を、流動性を有する未硬化の紫外線硬化型樹脂に添加・混合し、得られた混合物を、ガラス管に入れてガラス管の開口端を封止（閉塞）した後、紫外線を照射してガラス管内の樹脂を硬化させることにより製造される。蛍光体チューブ３０は、図示されない保持部材を利用しつつ、シャーシ１４の底板１４ａと、フレーム１６の枠部１６１との間で挟み込まれる形で、ＬＥＤ１７（ＬＥＤ列１７０）と光入射面１９ｃとの間の所定位置に固定されている。蛍光体チューブ３０は、図４に示されるように、収容部３２に収容された波長変換部３１が、ＬＥＤ１７の光出射方向（ＬＥＤ１７の光軸方向Ｌ）において、ＬＥＤ１７の発光面１７ａ及び導光板１９の光入射面１９ｃとそれぞれ重なるように、照明装置１２内に設置されている。蛍光体チューブ３０の長手方向の両端部３４，３５は、光透過性を有する部材（例えば、ガラス）のみからなり、波長変換機能を備えていない。そのため、蛍光体チューブ３０の両端部３４，３５は、ＬＥＤ１７の光出射方向（ＬＥＤ１７の光軸方向Ｌ）において、ＬＥＤ列１７０の両端側に配される各ＬＥＤ１７の発光面１７ａと導光板１９の光入射面１９ｃにそれぞれ重ならないように、光入射面１９ｃの外側に配されている。
【００３４】  ＬＥＤ１７から出射された一次光の一部は、波長変換部３１で二次光に波長変換されつつ後方側（ＬＥＤ１７側）から前方側（導光板１９側）へ蛍光体チューブ３０を透過する。また、ＬＥＤ１７から出射された一次光の他の一部は、一次光のまま後方側（ＬＥＤ１７側）から前方側（導光板１９側）へ蛍光体チューブ３０を透過する。このようにＬＥＤ１７から出射された一次光が、部分的に波長変換されつつ蛍光体チューブ３０を後方側（ＬＥＤ１７側）から前方側（導光板１９側）へ透過すると、蛍光体チューブ３０からは一次光及び二次光を含む白色の透過光が導光板１９の光入射面１９ｃ側に出射される。
【００３５】  なお、蛍光体チューブ３０の両端部３４，３５は、上述したように、光入射面１９ｃの外側に配されているものの、ＬＥＤ１７から出射された一次光の一部は、ある程度、各端部３４，３５を後方側（ＬＥＤ１７側）から前方側（導光板１９側）へ透過してしまう。各ＬＥＤ１７より出射される光は、直進性が高いものの、ある程度の角度で広がった配向分布を有している。そのため、ＬＥＤ１７から出射された光（一次光）の中には、蛍光体チューブ３０の両端部（封止端部、非波長変換部）３４，３５を透過するものがある。光が、蛍光体チューブ３０の各端部（封止端部、非波長変換部）３４，３５を透過した場合、それらの端部（封止端部、非波長変換部）３４，３５からは、主として一次光（青色光）からなる光が出射される。その結果、蛍光体チューブ３０の各端部３４，３５からは、一次光が呈する色で着色された光（本実施形態の場合、青みを帯びた光）が光入射面１９ｃ側に出射される。
【００３６】  図６は、裏面１９ｂ側から見た状態のＬＥＤ列１７０、蛍光体チューブ２０及び導光板１９の配置関係を模式的に表した平面図である。図６に示されるように、導光板１９の裏面（反対面）１９ｂには、光反射・散乱パターン２２０が形成されている。
【００３７】  光反射・散乱パターン２２０は、導光板１９内に入射された光を、反射又は散乱させて、光出射面１９ａ側に向けて立ち上げる機能を備えている。光反射・散乱パターン２２０は、各々が光反射性及び散乱性を有する複数のドット部２２の集まりからなる。複数のドット部２２は、導光板１９の裏面（反対面）１９ｂ上において、所定のパターンをなしつつ面状に広がっている。なお、各々のドット部２２は、平面視で円形状をなしている。
【００３８】  本実施形態の複数のドット部２２は、導光板１９の短辺側の各端部１９２，１９３に沿う形で設けられ、かつＬＥＤ１７からの一次光（青色光）を吸収して、一次光（青色光）が呈する基準色（青色）と補色の関係にある色（黄色）を呈する複数の補色ドット部２２ａと、補色ドット部２２ａよりも中央側に配されかつ白色を呈する複数の白色ドット部２２ｂとを備えている。複数の補色ドット部２２ａは、蛍光体チューブ３０の両端部（非波長変換部）３４，３５からＬＥＤ１７の光出射方向（光軸方向Ｌ）に沿うように配されている。
【００３９】  本実施形態のドット部２２は、ベースとなる樹脂に着色剤等を添加してなる塗料を、膜状に形成したもの（つまり、塗膜）からなる。ドット部２２は、シルク印刷、インクジェット印刷等の公知の印刷技術等を利用して、導光板１９の裏面１９ｂに適宜、形成される。前記着色剤としては、目的の色に応じた顔料、染料等が利用される。
【００４０】  なお、補色ドット部２２ａでは、着色剤として、ＬＥＤ１７からの一次光（青色光）を吸収して、一次光（青色光）が呈する基準色（青色）と補色の関係にある色（黄色）を呈する（反射する）黄色着色剤（補色着色剤の一例）が利用される。黄色着色剤としては、黄色顔料、黄色染料、黄色蛍光体等が利用される。また、白色ドット部２２ｂでは、着色剤として、白色顔料、白色染料等が利用される。
【００４１】  光反射・散乱パターン２２０は、導光板１９の裏面（反対面）１９ｂの各場所によって、形成される単位面積当たりの密度が異なるように設定されている。例えば、図６に示されるように、光反射・散乱パターン２２０は、裏面（反対面）１９ｂにおける単位面積当たりの密度が、光入射面１９ｃから反対側光源非対向端面１９ｄ側に向って遠ざかるにつれて、徐々に高くなるように設定されている。
【００４２】  図６に示されるように、裏面（反対面）１９ｂのうち、光入射面１９ｃの近くにおけるドット部２２（光反射・散乱パターン２２０）の単位面積Ｓ１当たりの密度は低く設定され、また、反対側光源非対向端面１９ｄの近くにおけるドット部２２（光反射・散乱パターン２２０）の単位面積Ｓ３当たりの密度は高く設定されている。そして、裏面１９ｂのうち、光入射面１９ｃと反対側光源非対向端面１９ｄとの間にある位置におけるドット部２２（光反射・散乱パターン２２０）の単位面積Ｓ２当たりの密度は、単位面積Ｓ１当たりの密度よりも高く、かつ単位面積Ｓ３当たりの密度よりも低く設定されている。
【００４３】  また、光反射・散乱パターン２２０は、裏面（反対面）１９ｂにおける単位面積当たりの密度が、光入射面１９ｃ側よりも、ＬＥＤ（光源）１７と対向しない導光板１９の端面（光源非対向端面）１９ｄ，１９ｅ，１９ｆ側の方が高くなるように設定されている。図６に示されるように、裏面１９ｂのうち、光入射面１９ｃに隣接する一方の光源非対向端面（つまり、光源非対向隣接端面）１９ｅの近くにおけるドット部２２（光反射・散乱パターン２２０）の単位面積Ｓ４当たりの密度は、上記単位面積Ｓ１当たりの密度と比べて高く設定されている。また、裏面１９ｂのうち、光入射面１９ｃに隣接する他方の光源非対向端面（つまり、光源非対向隣接端面）１９ｆの近くにおけるドット部２２（光反射・散乱パターン２２０）の単位面積Ｓ５当たりの密度は、上記単位面積Ｓ１当たりの密度と比べて高く設定されている。
【００４４】  また、上述したように、裏面１９ｂのうち、反対側光源非対向端面１９ｄの近くにおけるドット部２２（光反射・散乱パターン２２０）の単位面積Ｓ３当たりの密度は、上記単位面積Ｓ１当たりの密度よりも高く設定されている。なお、裏面１９ｂにおける単位面積当たりの光反射・散乱パターン２２０の密度（疎密）は、ドット部の大きさや個数等を適宜、設定することにより、調節できる。
【００４５】  ＬＥＤ（光源）１７の近く（つまり、光入射面１９ｃの近く）では、ＬＥＤ１７から発せられた光が多量に存在している。そのため、光入射面１９ｃの近くでは、形成されるドット部２２（光反射・散乱パターン２２０）の単位面積当たりの密度を低くしても、導光板１９内から光出射面１９ａ側に向って十分な量の光を立ち上げることができる。これに対し、ＬＥＤ（光源）１７側からその反対側（反対側光源非対向端面１９ｄ側）に遠ざかるにつれて、ＬＥＤ１７より導光板１９内に供給される光の量が、光入射面１９ｃ側や裏面１９ｂの中央側と比べて、少なくなる傾向がある。また、光入射面１９ｃに隣接する各光源非対向隣接端面１９ｅ，１９ｆの近くでも、ＬＥＤ１７より導光板１９内に供給される光の量が、光入射面１９ｃ側や裏面１９ｂの中央側と比べて、少なくなる傾向がある。そのため、このような個所では、形成されるドット部２２（光反射・散乱パターン２２０）の単位面積当たりの密度を高くすることで、導光板１９内から光出射面１９ａ側に向って十分な量の光を立ち上げている。
【００４６】  なお、本実施形態の場合、導光板１９の裏面１９ｂのうち、光源非対向隣接端面１９ｅ，１９ｆの近くよりも、反対側光源非対向端面１９ｄの近くの方が、形成されるドット部２２（光反射・散乱パターン２２０）の単位面積当たりの密度が高くされている。
【００４７】  図６に示されるように、光反射・散乱パターン２２０のうち、複数の補色ドット部２２ａは、短辺側の各端部（光源非対向隣接端部）１９２，１９３が延びる方向に沿う形で、直線的な帯状に集合するように裏面１９ｂ上に形成されている。このような帯状の複数の補色ドット部２２ａは、上述したように、蛍光体チューブ３０の両端部（非波長変換部）３４，３５からＬＥＤ１７の光出射方向（光軸方向Ｌ）に沿うように配されている。なお、補色ドット部２２ａは、後述するように、蛍光体チューブ３０の各端部３４，３５から出射した青みを帯びた光が供給される範囲に形成される。
【００４８】  一次光（青色光）が、補色ドット部２２ａに当たると、その光の一部は黄色を呈する補色ドット部２２ａによって吸収される。また、二次光（緑色光、赤色光）が、補色ドット部２２ａに当たると、その光は、補色ドット部２２ａによって反射又は散乱等されることになる。これに対し、一次光（青色光）、又は二次光（緑色光、赤色光）が、白色ドット部２２ｂに当たると、一次光、又は二次光は、白色ドット部２２ｂによって反射又は散乱等されることになる。
【００４９】  以上のような構成の照明装置１２において、各ＬＥＤ１７に電力が供給されると、各ＬＥＤ１７が点灯して、各ＬＥＤ１７より出射された一次光（青色光）が、蛍光体チューブ３０内に入射される。波長変換部３１を含む部分（筒状本体部３３及び波長変換部３１からなる中央部分）の蛍光体チューブ３０には、ＬＥＤ列１７０のうち、主として、両端のＬＥＤ１７を除いた中央側の複数のＬＥＤ１７より出射された一次光が入射される。蛍光体チューブ３０の各端部３４，３５には、ＬＥＤ列１７０のうち、主として、ＬＥＤ列１７０の両端の各ＬＥＤ１７から出射された一次光の一部が入射される。
【００５０】  蛍光体チューブ３０内に入射した一次光のうち、波長変換部３１中の量子ドット蛍光体により吸収されたものは、波長変換されて二次光として蛍光体チューブ３０から出射される。また、それ以外の蛍光体チューブ３０内に入射した主な一次光は、蛍光体チューブ３０で波長変換されずにそのまま一次光として蛍光体チューブ３０から出射される。波長変換部３１を含む部分（筒状本体部３３及び波長変換部３１からなる中央部分）の蛍光体チューブ３０では、各ＬＥＤ１７から出射された一次光が蛍光体チューブ３０を透過することで、一次光及び二次光を含む白色の透過光が生成され、その透過光が導光板１９の光入射面１９ｃに向けて出射される。これに対し、蛍光体チューブ３０の各端部３４，３５では、ＬＥＤ１７から出射された一次光がそのまま各端部３４，３５を透過することで、一次光を多く含む青みを帯びた光（透過光）がそれぞれ生成される。そして、それらの青みを帯びた光は、主として、光入射面１９ｃの各端側からそれぞれ導光板１９内に入射される。導光板１９内に入射された光は、導光板１９内で反射等を繰り返しながら伝播する。そして、導光板１９内を伝播する際に、裏面１９ｂの光反射・散乱パターン２２０（ドット部２２）に当たった光は、光出射面１９ａに向かって立ち上がり、更に光出射面１９ａから光学部材１５側に出射される。
【００５１】  蛍光体チューブ３０の波長変換部３１を含む部分（筒状本体部３３及び波長変換部３１からなる中央部分）より出射された一次光及び二次光を含む白色の光（透過光）は、導光板１９内に入射された後、短辺側の各端部１９２，１９３に沿った部分を除いた裏面１９ｂの中央側大部分に配されている白色ドット部２２ｂに当たり、白色ドット部２２ｂによって光出射面１９ａ側に立ち上がるように反射又は散乱等される。これに対し、蛍光体チューブ３０の各端部３４，３５より出射された青みを帯びた光（透過光）は、導光板１９内に入射された後、裏面１９ｂの短辺側の各端部１９２，１９３に沿った部分に配されている補色ドット部２２ａに適宜、当たる。補色ドット部２２ａに当たった一次光（青色光）の一部は補色ドット部２２ａによって吸収され、そして補色ドット部２２ａに当たったその他の光は、補色ドット部２２ａにより光出射面１９ａ側に立ち上がるように反射又は散乱等される。
【００５２】  このように、導光板１９のうち、蛍光体チューブ３０の各端部３４，３５を透過して青みを帯びた光が供給される範囲（蛍光体チューブ３０の各端部３４，３５から、ＬＥＤ１７の光出射方向に沿ってそれぞれ直線的に延びた範囲）Ｒ１，Ｒ２については、それらの範囲Ｒ１，Ｒ２に対応する部分の裏面１９ｂに、補色ドット部２２ａを配設することで、青みを帯びた光に含まれる一次光（青色光）を、補色ドット部２２ａにより吸収して間引くことができる。そのため、導光板１９の光出射面１９ａのうち、青みを帯びた光が供給される前記範囲Ｒ１，Ｒ２に対応する部分からは、青みが低減された光が出射されることになる。したがって、光出射面１９ａ全体からは、色ムラが抑制された白色の面状の光が出射されることになる。
【００５３】  なお、光出射面１９ａより出射した光は、光学部材（光学シート）１５や、導光板１９の裏面１９ｂ側に配されている反射シート２０等に当たる等して、複数回の再帰反射を繰り返した後、最終的に液晶パネル１１の背面に向かうように、光学部材１５から面状に広がった光（面光）として出射する。
【００５４】  図４には、導光板１９において、光入射面１９ｃに隣接する２つの短辺側端面（光源非対向隣接端面）１９ｅ，１９ｆ付近に、蛍光体チューブ３０の各端部３４，３５から、ＬＥＤ１７の光出射方向に沿ってそれぞれ直線的に延びた範囲Ｒ１，Ｒ２が示されている。これらの範囲Ｒ１，Ｒ２の導光板１９内に、蛍光体チューブ３０の各端部３４，３５から出射した青みを帯びた光（青色光の存在比率が中央側よりも高くなっている光）が供給される。なお、図４において、光出射面１９ａの周端部に沿うように示される矩形状の範囲（一点鎖線）１３０は、フレーム１６の内周縁（枠本体部１６１の内周縁、ベゼル１３の内周縁）の位置を表す。導光板１９の光出射面１９ａより出射される光のうち、実際に液晶パネル１１に供給される光（つまり、照明装置１２より出射される光）は、フレーム１６の内周縁の内側を通過する光である。そのため、仮に、光反射・散乱パターン２２０をすべて白色ドット部２２ｂで構成した場合、実際に液晶パネル１１の表示面に青みを帯びた部分が現れるのは、範囲１３０と範囲Ｒ１とで囲まれた範囲Ｒ１１に対応する部分と、範囲１３０と範囲Ｒ２とで囲まれた範囲Ｒ２２に対応する部である。
【００５５】  本実施形態では、青みを帯びた光が導光板１９内に供給される各範囲Ｒ１，Ｒ２と少なくとも平面視で重なるように、導光板１９の裏面１９ｂにおいて、光反射・散乱パターン２２０の補色ドット部２２ａが配置される。導光板１９を平面視した際、各範囲Ｒ１，Ｒ２内に、黄色を呈する補色ドット部２２ａが収まるように配されている。つまり、導光板１９を平面視した際、上述した各範囲Ｒ１１，Ｒ２２よりも、広い各範囲Ｒ１，Ｒ２と重なるように、補色ドット部２２ａが形成されている。
【００５６】  以上のように、本実施形態の照明装置１２では、蛍光体チューブ３０の各端部３４，３５から、ＬＥＤ１７の光出射方向に沿ってそれぞれ直線的に延びた範囲Ｒ１，Ｒ２（Ｒ１１，Ｒ２２）から出射される光が、その他の範囲から出射される光よりも、ＬＥＤ１７の一次光の色彩（青色）で色付くことが抑制され、ひいては色ムラが抑制された白色の面光が出射される。
【００５７】  ＜実施形態２＞  次いで、本発明の実施形態２を、図７及び図８等を参照しつつ説明する。本実施形態では、実施形態１の光反射・散乱パターン２２０を、光反射・散乱パターン２２０Ａに代えた照明装置について説明する。なお、本実施形態の照明装置の基本的な構成は、上記実施形態１と同様である。そのため、実施形態１と同じ構成については、実施形態１と同じ符号を付し、その詳細説明は省略する。図７は、実施形態２の照明装置に利用される、表面側から見た状態の複数のＬＥＤ列１７０Ａ１，１７０Ａ２、複数の蛍光体チューブ３０Ａ１，３０Ａ２及び導光板１９Ａとの配置関係を模式的に表した平面図であり、図８は、実施形態２の照明装置に利用される、裏面側から見た状態の複数のＬＥＤ列１７０Ａ１，１７０Ａ２、複数の蛍光体チューブ３０Ａ１，３０Ａ２及び導光板１９Ａとの配置関係を模式的に表した平面図である。
【００５８】  本実施形態の照明装置では、２つ（複数）のＬＥＤ基板１８Ａ１，１８Ａ２が一列に並べられた状態で利用される。なお、各ＬＥＤ基板１８Ａ１，１８Ａ２上には、複数のＬＥＤ１７が一列に並んだ状態でそれぞれ実装されており、各ＬＥＤ基板１８Ａ１，１８Ａ２上にそれぞれＬＥＤ列１７０Ａ１，１７０Ａ２が形成されている。なお、各ＬＥＤ基板１８Ａ１，１８Ａ２上に実装されている複数のＬＥＤ１７は、全体的には、等間隔で一列に並べられた状態となっている。また、本実施形態の照明装置では、各ＬＥＤ基板１８Ａ１，１８Ａ２に割り当てられる形で、２つ（複数）の蛍光体チューブ３０Ａ１，３０Ａ２が一列に並べられた状態で利用される。なお、本実施形態の導光板１９Ａは、裏面（反対面）１９ｂに形成される光反射・散乱パターン２２０Ａが、上記実施形態１の導光板１９と異なっているものの、それ以外の構成は同じである。
【００５９】  ＬＥＤ列１７０Ａ１を備えたＬＥＤ基板１８Ａ１、及び蛍光体チューブＡ１は、導光板１９を表側から見た際、図７に示されるように、導光板１９Ａの左側（短辺側端面１９ｅ側）に配されている。これに対し、ＬＥＤ列１７０Ａ２を備えたＬＥＤ基板１８Ａ２、及び蛍光体チューブＡ２は、導光板１９Ａの右側（短辺側端面１９ｆ側）に配されている。本実施形態の場合、ＬＥＤ列１７０Ａ１を備えたＬＥＤ基板１８Ａ１と、ＬＥＤ列１７０Ａ２を備えたＬＥＤ基板１８Ａ２とは、互いに同じ大きさに設定されている。また、蛍光体チューブ３０Ａ１，３０Ａ２同士も、互いに同じ大きさに設定されている。
【００６０】  蛍光体チューブ３０Ａ１は、ＬＥＤ基板１８Ａ１上に実装されている各ＬＥＤ１７と導光板１９Ａの光入射面１９ｃとの間に配され、また、蛍光体チューブ３０Ａ２は、ＬＥＤ基板１８Ａ２上に実装されている各ＬＥＤ１７と光入射面１９ｃとの間に配されている。
【００６１】  なお、左側に配される蛍光体チューブ３０Ａ１は、一方の端部３４が、ＬＥＤ１７の光出射方向で重ならないように光入射面１９ｃの左外側に配され、かつ他方の端部３５が、光入射面１９ｃとＬＥＤ１７の光出射方向で重なるように配されている。また、右側に配される蛍光体チューブ３０Ａ２は、一方の端部３５が、ＬＥＤ１７の光出射方向で重ならないように光入射面１９ｃの右外側に配され、かつ他方の端部３４が、光入射面１９ｃとＬＥＤ１７の光出射方向で重なるように配されている。
【００６２】  導光板１９Ａの裏面１９ｂに形成される光反射・散乱パターン２２０Ａは、図８に示されるように、実施形態１と同様、黄色を呈する複数の補色ドット部２２ａと、白色を呈する白色ドット部２２ｂとを有する複数のドット部２２を備えている。ただし、本実施形態の場合、補色ドット部２２ａは、導光板１９Ａの短辺側の各端部１９２，１９３に設けられるもの以外に、導光板１９Ａを短辺方向に横切るように、裏面１９ｂの中央に設けられている。なお、裏面１９ｂに形成されるドット部２２自体の配置パターン（単位面積当たりの密度）は、実施形態１と同様である。
【００６３】  本実施形態の場合、波長変換機能を備えていない蛍光体チューブ３０Ａ１，３０Ａ２の各端部３４，３５を透過した光（青みを帯びた光）が、導光板１９Ａの短辺側の端部１９２，１９３に沿った部分のみならず、導光板１９Ａの中央部分を短辺方向に横切る部分にも供給される。そのため、本実施形態では、図８に示されるように、導光板１９Ａの裏面１９ｂ中央にも、複数の補色ドット部２２ａが配置されている。このように本実施形態では、蛍光体チューブ３０Ａ１，３０Ａ２同士が隣り合う部分からＬＥＤ１７の光出射方向に沿いつつ、裏面（反対面）１９ｂを横切るように、複数の補色ドット部２２ａが配置されている。
【００６４】  図７には、導光板１９Ａにおいて、光入射面１９ｃに隣接する２つの短辺側端面（光源非対向隣接端面）１９ｅ，１９ｆ付近に、一方の蛍光体チューブ３０Ａ１の外側の端部３４と、他方の蛍光体チューブ３０Ａ２の外側の端部３５とから、ＬＥＤ１７の光出射方向に沿ってそれぞれ直線的に延びた範囲Ｒ１，Ｒ２が示されている。そして、更に、導光板１９Ａの中央部分に、一方の蛍光体チューブ３０Ａ１の内側の端部３５及び他方の蛍光体チューブ３０Ａ２の内側の端部３４とから、ＬＥＤ１７の光出射方向に沿って直線状に延びた範囲Ｒ３が示されている。
【００６５】  本実施形態の場合、これらの範囲Ｒ１，Ｒ２，Ｒ３の導光板１９Ａ内に、蛍光体チューブ３０Ａ１，３０Ａ２の各端部３４，３５から出射した青みを帯びた光（青色光の存在比率が中央側よりも高くなっている光）が供給される。
【００６６】  導光板１９Ａの光出射面１９ａより出射される光のうち、実際に液晶パネル１１に供給される光は、フレーム１６の内周縁の内側を通過する光である。そのため、仮に、光反射・散乱パターン２２０をすべて白色ドット部２２ｂで構成した場合、実際に液晶パネル１１の表示面に青みを帯びた部分が現れるのは、範囲１３０と範囲Ｒ１とで囲まれた範囲Ｒ１１に対応する部分、範囲１３０と範囲Ｒ２とで囲まれた範囲Ｒ２２に対応する部、及び範囲１３０と範囲Ｒ３とで囲まれた範囲Ｒ３３に対応する部分である。
【００６７】  本実施形態では、青みを帯びた光が導光板１９Ａ内に供給される各範囲Ｒ１，Ｒ２，Ｒ３と少なくとも平面視で重なるように、導光板１９Ａの裏面１９ｂにおいて、光反射・散乱パターン２２０の補色ドット部２２ａが配置される。
【００６８】  以上のように、本実施形態の照明装置では、各蛍光体チューブ３０Ａ１，３０Ａ２の各端部３４，３５から、ＬＥＤ１７の光出射方向に沿ってそれぞれ直線的に延びた範囲Ｒ１，Ｒ２，Ｒ３（Ｒ１１，Ｒ２２，Ｒ３３）から出射される光が、その他の範囲から出射される光よりも、ＬＥＤ１７の一次光の色彩（青色）で色付くことが抑制され、ひいては色ムラが抑制された白色の面光が出射される。
【００６９】  ＜実施形態３＞  次いで、本発明の実施形態３を、図９及び図１０等を参照しつつ説明する。図９は、実施形態３に係る液晶表示装置１０Ｂの光入射面１９ｃ付近の拡大断面図であり、図１０は、ホルダの正面図である。本実施形態の液晶表示装置１０Ｂで利用される照明装置１２Ｂは、長手状のホルダ６０によって保持された蛍光体チューブ３０Ｂを備えている。なお、蛍光体チューブ３０Ｂ自体の構成は、上記実施形態１のものと同様である。
【００７０】  本実施形態の蛍光体チューブ（波長変換部材）３０Ｂは、図９に示されるように、ＬＥＤ１７と導光板１９の光入射面１９ｃとの間の隙間に、ホルダ６０によって保持された状態で配置されている。ホルダ６０は、全体的には、長手状をなした部材であり、光反射性に優れた白色を呈する合成樹脂の成形品からなる。ホルダ６０は、蛍光体チューブ３０Ｂのうち、波長変換部を内包する部分を、略全長に亘って上下方向（表裏方向）から挟み込むような断面略Ｃ字状の形をなしている。ホルダ６０は、蛍光体チューブ３０Ｂを上下方向から挟み込む一対の表側保持壁部６１及び裏側保持壁部６２と、上下方向（表裏方向）で表側保持壁部６１と裏側保持壁部６２とを繋ぐと共に、蛍光体チューブ３０ＢよりもＬＥＤ１７側（ＬＥＤ基板１８側）に配される連結壁部６３とを備えている。なお、ホルダ６０は、蛍光体チューブ３０Ｂを上下方向から挟持した状態で、導光板１９の光入射面１９ｃ側に開放した形をなしている。
【００７１】  本実施形態の場合、表側保持壁部６１が枠本体部１６１と当接し、かつ裏側保持壁部６２が底板１４ａ上に載せられた状態で、フレーム１６とシャーシ１４の底板１４ａとの間で挟まれている。連結壁部６３は、シャーシ１４内で上下方向に沿って起立しつつ、複数個のＬＥＤ１７が一列に並ぶ方向に沿って延びた形をなしている。また、連結壁部６３には、各ＬＥＤ１７を光入射面１９ｃ側に露出させるための複数の開口部６４が形成されている。なお、連結壁部６３は、シャーシ１４内において、各開口部６４から各ＬＥＤ１７を露出させた状態で、ＬＥＤ基板１８の実装面１８ａ上に宛がわれた状態となっている。蛍光体チューブ３０Ｂは、このようなホルダ６０によって保持された状態で、シャーシ１４の底板１４ａに対して図示されない固定手段により固定されている。なお、本実施形態の場合、図９に示されるように、ＬＥＤ１７の発光面１７ａは、蛍光体チューブ３０Ｂの収容部３２の壁面に対して密着されている。
【００７２】  本実施形態のように、ホルダ６０を利用して蛍光体チューブ３０Ｂを、シャーシ１４内の所定個所に配設してもよい。このようなホルダ６０を利用すれば、蛍光体チューブ３０Ｂを、適宜、所定個所に配置し易い。なお、上記実施形態において、補色ドット部は、一次光が呈する基準色（青色光）と補色の関係にある色（黄色）が、全面的に呈するように設定されていたが、本発明はこれに限られず、ドット部の一部が前記基準色（青色光）と補色の関係にある色（黄色）を呈し、残りの部分が白色を呈するようにしてもよい。例えば、図１１に示される変形例１の補色ドット部２２Ｂａのように、中心側に白色を呈する部分を有しつつ、その周りを取り囲む円環状の部分が前記基準色（青色光）と補色の関係にある色（黄色）を呈するように設定してもよい。また、図１２に示される変形例２の補色ドット部２２Ｃａのように、２つの半円部分のうち、一方の半円部分を白色とし、他方の半円部分を前記基準色（青色光）と補色の関係にある色（黄色）としてもよい。また、図１３に示される変形例３の補色ドット部２２Ｄａのように、四等分された部分のうち、一つの部分（１／４の部分）を白色とし、残りの部分（３／４）を前記基準色（青色光）と補色の関係にある色（黄色）としてもよい。このように、補色ドット部について、部分的に前記基準色（青色光）と補色の関係にある色（黄色）を呈するようにし、単位面積当たりの補色ドット部の密度を調節してもよい。
【００７３】  また、上記実施形態において、光反射・散乱パターンを構成する複数のドット部のうち、白色ドット部は、すべて補色ドット部よりも導光板の中央側に配される構成となっていたが、本発明の目的を損なわない限り、隣り合った補色ドット部の間に白色ドット部が配されてもよい。図１４は、他の実施形態に係る光反射・散乱パターンの一部を示す図である。図１４に示されるように、隣り合った補色ドット部２２Ｅａの間に、白色ドット部Ｅｂが配されている。このように、ドット部２２Ｅを配置することによって、単位面積当たりの補色ドット部２２Ｅａの密度を調節してもよい。
【００７４】  また、上記実施形態において、光反射・散乱パターンを構成するドット部は、所定の着色剤を含む塗膜から形成されていたが、本発明の目的を損なわない限り、他の構成のものをドット部として利用してもよい。例えば、図１５に示されるドット部２２Ｆは、導光板１９Ｆの裏面（反対面）１９ｂに、所謂シボ加工により形成されるドット状の凹部２３からなる。そして、この場合の補色ドット部２２Ｆａは、凹部２３の内面に、一次光を吸収して一次光が呈する基準色と補色の関係にある色（黄色）を呈する塗料（塗膜）２４を付与したものからなる。なお、この場合の白色ドット部は、凹部２３のみから構成される。このように、ドット部２２Ｆが凹部２３から形成されるものであってもよい。
【００７５】  ＜実施形態４＞  次いで、本発明の実施形態４を、図１６〜図２２を参照しつつ説明する。本実施形態の液晶表示装置８０１０は、実施形態１の液晶表示装置１０と同様の構成の液晶パネル８０１１を備え、照明装置８０１２については導光板８０１９を除き概ね実施形態１と同様の構成を備えている。つまり、シャーシ８０１４、光学部材８０１５、フレーム８０１６、ＬＥＤ８０１７、ＬＥＤ基板８０１８、反射シート８０２０、蛍光体チューブ８０３０については特に説明のない限り実施形態１と同様の構成を備えている。
【００７６】  導光板８０１９は、屈折率が空気よりも十分に高く、透明であり、光透過性に優れる合成樹脂材料（例えば、ＰＭＭＡ等のアクリル系樹脂、ポリカーボネート樹脂等）からなる。導光板８０１９は、液晶パネル８０１１等と同様、平面視で略矩形状をなす板状部材からなり、表面８０１９ａが液晶パネル８０１１と対向し、裏面（反対面）８０１９ｂが反射シート８０２０と対向する形で、シャーシ８０１４内に収容されている。なお、後述するように、導光板８０１９の短辺側の端部と反射シート８０２０との間には、補色部材８０２３が介在されている。導光板８０１９の表面８０１９ａは、液晶パネル８０１１側に向けて光を出射する光出射面８０１９ａとなっている。光出射面８０１９ａと液晶パネル８０１１との間には、光学部材８０１５がフレーム８０１６に支持された状態で配される。また、導光板８０１９の一方の長辺側端面８０１９ｃは、ＬＥＤ８０１７からの光が入射される光入射面８０１９ｃとなっている。なお、光入射面８０１９ｃを含む導光板８０１９の端部を、入射端部８０１９０と称する。
【００７７】  導光板８０１９の他方の長辺側端面８０１９ｄ、導光板８０１９の２つの短辺側端面８０１９ｅ，８０１９ｆは、光源（ＬＥＤ８０１７）と対向していないため、それらを「光源非対向面」と称する場合がある。特に、光入射面８０１９ｃの反対側にある光源非対向面（長辺側端面８０１９ｄ）を、「反対側光源非対向面」と称する場合がある。なお、本明細書において、光源非対向面を含む導光板の端部８０１９１，８０１９２，８０１９３を、「光源非対向端部」と称し、特に、反対側光源非対向面を含む導光板８０１９の端部８０１９１を、「反対側光源非対向端部」と称する場合がある。また、光入射面８０１９ｃに隣接する光源非対向面としての隣接端面（短辺側端面）８０１９ｅ，８０１９ｆを含む導光板の端部８０１９２，８０１９３を、「光源非対向隣接端部」と称する場合がある。
【００７８】  フレーム８０１６は、全体的には、導光板８０１９の外周端部を表側から覆うような枠状（額縁状）をなし、シャーシ８０１４の開口部分に表側から組み付けられる。フレーム８０１６は、例えば、合成樹脂からなり、光反射性を有するように白色塗装されている。フレーム８０１６は、平面視で枠状をなしつつその内周縁側が、シャーシ８０１４内に収容された状態の導光板８０１９の外周端部に表側から宛がわれる枠本体部８０１６１と、その枠本体部８０１６１からシャーシ８０１４の底板８０１４ａ側に向って延びつつ、シャーシ８０１４内に収容される立壁部８０１６２とを備えている。枠本体部８０１６１は、内周縁側が導光板８０１９の外周端部と重なり、かつ外周縁側がシャーシ８０１４の側壁板８０１４ｂの上端部と重なるような所定の幅を持った枠状をなしている。枠本体部８０１６１の内周縁側の裏面には、ウレタンフォーム等からなる弾性部材８０２１が取り付けられている。本実施形態の弾性部材８０２１は、黒色であり、遮光性を備えている。弾性部材８０２１は、全体的には枠状（環状）をなし、導光板８０１９の外周端部に対して表側から当接される。また、枠本体部８０１６１の内周縁側の表面は、外周縁側の表面よりも一段低くなるように設定されており、その低くなった部分に光学部材８０１５の端部が載せられる。立壁部８０１６２は、枠本体部８０１６１の外周縁側の裏面からシャーシ８０１４の底板８０１４ａに向かって延びつつ、導光板８０１９の端面８０１９ｃ等と対向するような板状をなしている。また、立壁部８０１６２は、全体的には、導光板８０１９の周りを囲むような筒状をなしている。このような立壁部８０１６２のうち、導光板８０１９の一方の長辺側端面８０１９ｃと対向する部分には、ＬＥＤ８０１７を実装したＬＥＤ基板８０１８が取り付けられている。なお、ＬＥＤ基板８０１８が取り付けられる部分以外の残りの部分は、それぞれ導光板８０１９の端面とシャーシ８０１４の側壁板８０１４ｂとの間に収まる形でシャーシ８０１４内に収容される。
【００７９】  図１８は、表面側から見た状態のＬＥＤ列８０１７０、蛍光体チューブ８０３０及び導光板８０１９の配置関係を模式的に表した平面図である。ＬＥＤ８０１７は、所謂、頂面発光型であり、長尺状をなしたＬＥＤ基板８０１８の板面（実装面）８０１８ａ上に表面実装されている。ＬＥＤ８０１７は、ＬＥＤ基板８０１８上に、等間隔で一列に並ぶように複数個実装されている。なお、複数個のＬＥＤ８０１７が互いに列状に並んだものを、ＬＥＤ列（光源列の一例）８０１７０と称する。
【００８０】  ＬＥＤ８０１７は、ＬＥＤ基板８０１８に実装された状態で、発光面８０１７ａが導光板８０１９の一方の長辺側端面８０１９ｃと蛍光体チューブ８０３０越しに対向するように、フレーム８０１６の立壁部８０１６２に取り付けられた状態で、シャーシ８０１４内に収容されている。蛍光体チューブ８０３０は、後述するように、ＬＥＤ８０１７の発光面８０１７ａと導光板８０１９の光入射面８０１９ｃとの間に配設されている。蛍光体チューブ８０３０の詳細は、後述する。ＬＥＤ８０１７は、導光板８０１９の光入射面８０１９ｃに向けて、光（青色光）を出射する。なお、本明細書において、ＬＥＤ８０１７の発光面８０１７ａが向く方向（ＬＥＤ８０１７の光出射方向、ＬＥＤ８０１７の光軸方向Ｌ）を「前方」とし、その反対方向を「後方」と称する。
【００８１】  光学部材８０１５は、液晶パネル８０１１等と同様、平面視で横長の略矩形状をなしている。光学部材８０１５は、その外周端部が、フレーム８０１６の枠本体部８０１６１に表側から載せられる形で、導光板８０１９の光出射面８０１９ａと液晶パネル８０１１の背面との間に配される。光学部材８０１５は、所定の光学作用を付与しつつ、導光板８０１９から出射された光を液晶パネル８０１１側へ透過させる機能を備えている。光学部材８０１５は、互いに積層される複数枚のシート状の部材（光学シート）からなる。光学部材８０１５を構成する具体的な部材（光学シート）としては、例えば、拡散シート、レンズシート、反射型偏光シート等が挙げられる。
【００８２】  ここで、蛍光体チューブ（波長変換部材）８０３０について説明する。蛍光体チューブ８０３０は、実施形態１と同様、長手状をなしており、複数個のＬＥＤ８０１７が一列に並ぶ方向（本実施形態の場合、導光板８０１９の長辺方向）に沿うように、ＬＥＤ８０１７の発光面８０１７ａと導光板８０１９の光入射面８０１９ｃとの間の隙間に配設されている。蛍光体チューブ８０３０は、実施形態１と同様に、量子ドット蛍光体（蛍光体の一例）を含有する波長変換部８０３１と、波長変換部８０３１を包囲する形で収容しつつ光透過性を有する長手状の収容部８０３２とを備えている。
【００８３】  蛍光体チューブ８０３０は、図１８に示されるように、収容部８０３２に収容された波長変換部８０３１が、ＬＥＤ８０１７の光出射方向（ＬＥＤ８０１７の光軸方向Ｌ）において、ＬＥＤ８０１７の発光面８０１７ａ及び導光板８０１９の光入射面８０１９ｃとそれぞれ重なるように、照明装置８０１２内に設置されている。ＬＥＤ列８０１７０のうち、両端を除いた中央側の各ＬＥＤ８０１７は、発光面８０１７ａが収容部８０３２に収容された波長変換部８０３１と対向するように、照明装置８０１２内に設置されている。そして、中央側の前記ＬＥＤ８０１７は、ＬＥＤ８０１７の光出射方向（ＬＥＤ８０１７の光軸方向Ｌ）において、波長変換部８０３１越しに、光入射面８０１９ｃと重なるように設定されている。
【００８４】  蛍光体チューブ８０３０の長手方向の両端部８０３４，８０３５は、光透過性を有する部材（例えば、ガラス）のみからなり、波長変換機能を備えていない。このような蛍光体チューブ８０３０の両端部８０３４，８０３５は、光入射面８０１９ｃの外側にはみ出さないように、ＬＥＤ８０１７の光出射方向（ＬＥＤ８０１７の光軸方向Ｌ）において、光入射面８０１９ｃと重なるように配設されている。そして、ＬＥＤ列８０１７０の両端に配される各ＬＥＤ８０１７は、発光面８０１７ａの一部がそれぞれ各端部（非波長変換部）８０３４，８０３５と共に波長変換部８０３１と対向するように配され、かつ発光面８０１７ａの残りの部分が、導光板８０１９の光入射面８０１９ｃと直接対向するように、照明装置８０１２内に設置されている。具体的には、ＬＥＤ列８０１７０の左端に配されるＬＥＤ８０１７では、発光面８０１７ａの左側が部分的に光入射面８０１９ｃと直接対向し、残りの右側の部分が蛍光体チューブ８０３０の左側の端部８０３４と共に波長変換部８０３１の左端部分と対向している。また、ＬＥＤ列８０１７０の右端に配されるＬＥＤ８０１７では、発光面８０１７ａの右側が部分的に光入射面８０１９ｃと直接対向し、残りの左側の部分が蛍光体チューブ８０３０の右側の端部８０３５と共に波長変換部８０３１の右端部分と対向している。
【００８５】  ＬＥＤ列８０１７０の中央側に配されている各ＬＥＤ８０１７は、主として、蛍光体チューブ８０３０の中央側部分（波長変換部８０３１を含む部分）に向けて一次光（青色光）を出射する。そして、波長変換部８０３１は、各ＬＥＤ８０１７から出射された一次光（青色光）の一部を、二次光（緑色光及び赤色光）に波長変換する。ＬＥＤ８０１７から出射された一次光の一部は、波長変換部８０３１で二次光に波長変換されつつ後方側（ＬＥＤ８０１７側）から前方側（導光板８０１９側）へ蛍光体チューブ８０３０を透過する。また、ＬＥＤ８０１７から出射された一次光の他の一部は、一次光のまま後方側（ＬＥＤ８０１７側）から前方側（導光板８０１９側）へ蛍光体チューブ８０３０を透過する。このようにＬＥＤ８０１７から出射された一次光が、部分的に波長変換されつつ蛍光体チューブ８０３０を後方側（ＬＥＤ８０１７側）から前方側（導光板８０１９側）へ透過すると、蛍光体チューブ８０３０からは一次光及び二次光を含む白色の透過光が導光板８０１９の光入射面８０１９ｃ側に出射される。
【００８６】  また、ＬＥＤ列８０１７０の両端に配されている各ＬＥＤ８０１７は、主として、蛍光体チューブ８０３０の各端部８０３４，８０３５側に配される波長変換部８０３１の各端部に向けて一次光を出射する。波長変換部８０３１に入射された青色光（一次光）の一部は、波長変換部８０３１中の量子ドット蛍光体を励起して二次光に波長変換される。なお、両端の各ＬＥＤ８０１７から出射された青色光の一部は、波長変換機能を備えていない蛍光体チューブ８０３０の各端部８０３４，８０３５をそのまま透過して、光入射面８０１９ｃ側に出射される。つまり、蛍光体チューブ８０３０の各端部８０３４，８０３５からは、一次光が呈する色で着色された光（本実施形態の場合、青みを帯びた光）が光入射面８０１９ｃ側に出射される。
【００８７】  図１９は、裏面側から見た状態のＬＥＤ列８０１７０、蛍光体チューブ８０３０及び導光板８０１９の配置関係を模式的に表した平面図である。図１９に示されるように、導光板８０１９の裏面８０１９ｂには、各々が光反射性及び散乱性を有する複数のドット部８０２２ａの集まりからなる光反射・散乱パターン８０２２が形成されている。各ドット部８０２２ａは、略円形状の白色の塗膜からなり、導光板８０１９の裏面８０１９ｂに対して、印刷技術等の公知の方法により形成されている。光反射・散乱パターン８０２２において、ＬＥＤ８０１７の近く（つまり、光入射面８０１９ｃの近く）では、ドット部８０２２ａの大きさが小さく、かつドット部８０２２ａが形成される密度（単位面積あたりの密度）が低くなり、ＬＥＤ８０１７から遠ざかるにつれて、ドット部８０２２ａの大きさが大きく、かつドット部８０２２ａが形成される密度（単位面積あたりの密度）が高くなるように設定されている。導光板８０１９の光入射面８０１９ｃより入射された光が、ドット部８０２２ａに当たると、ドット部８０２２ａより反射又は散乱されて、光出射面８０１９ａから出射される。
【００８８】  次いで、図２０〜図２２を参照しつつ、補色部材８０２３について説明する。図２０は、表面側から見た状態のＬＥＤ列８０１７０、蛍光体チューブ８０３０、導光板８０１９、補色部材８０２３及び反射シート８０２０の配置関係を模式的に表した平面図であり、図２１は、ＬＥＤ列８０１７０の左端に配されるＬＥＤ付近にける液晶表示装置８０１０の拡大断面図であり、図２２は、光源非対向隣接端部８０１９２付近における液晶表示装置８０１０の拡大断面図である。なお、図２１には、図２０のＢ−Ｂ線に対応する部分の断面図が示され、図２２には、図２０のＣ−Ｃ線に対応する部分の断面図が示されている。
【００８９】  補色部材８０２３は、シート状をなし、ＬＥＤ８０１７から出射された光（一次光、青色光）が呈する青色（基準色）と補色の関係にある色（本実施形態の場合、黄色）を呈する部材からなる。特に、本実施形態の補色部材（第１の補色部材の一例）８０２３は、光透過性を有すると共に、ＬＥＤ８０１７から出射された光（一次光、青色光）の一部を吸収してその光を他の波長領域の光（二次光）に変換して放出する機能を備えている。そのため、補色部材８０２３は、ＬＥＤ８０１７から出射された光（一次光、青色光）により励起されて前記他の波長領域の光（二次光）を放出する蛍光体を含有している。
【００９０】  本実施形態の補色部材８０２３は、例えば、蛍光体を含有する波長変換層と、その波長変換層を挟む一対の支持層と、各支持層の外側に積層され、波長変換層及び一対の支持層を挟む一対のバリア層とを備えている。補色部材８０２３の波長変換層は、バインダ樹脂としてのアクリル系樹脂と、そのアクリル系樹脂中に分散した状態で配合される量子ドット蛍光体とを含有するものからなる。また、補色部材８０２３の支持層は、ＰＥＴ等のポリエステル系樹脂からなるシート状（フィルム状）の部材からなる。
【００９１】  補色部材８０２３の波長変換層中に配合される量子ドット蛍光体としては、例えば、蛍光体チューブ８０３０に利用されるものと同様、緑色光（約５００ｎｍ〜約５７０ｎｍの波長領域）を発光する緑色量子ドット蛍光体と、赤色光（約６００ｎｍ〜約７８０ｎｍの波長領域）を発光する赤色量子ドット蛍光体とが挙げられる。量子ドット蛍光体に用いられる材料としては、蛍光体チューブ８０３０の波長変換部８０３１と同様のもの（例えば、ＣｄＳｅ）が利用される。なお、補色部材８０２３の波長変換層中においても、散乱剤等の他の成分が含まれてもよい。バリア層は、例えば、アルミナな酸化ケイ素等の金属酸化物膜からなり、波長変換層中の量子ドット蛍光体が湿気（水分）や酸素等と接触しないように保護する機能を備えている。
【００９２】  補色部材８０２３は、図２０〜図２２に示されるように、導光板８０１９の裏面（反対面）８０１９ｂのうち、導光板８０１９の両端部（光源非対向隣接端部）８０１９２，８０１９３と重なるように、それぞれ裏面（反対面）８０１９ｂと反射シート８０２０との間に介在される。補色部材８０２３は、平面視矩形状であり、光入射面８０１９ｃの左右両側に配される端部（光源非対向隣接端部）８０１９２，８０１９３を裏面（反対面）８０１９ｂ側から覆うように１つずつ設けられている。なお、補色部材８０２３の一部は、各端部（光源非対向隣接端部）８０１９２，８０１９３よりも外側にはみ出した状態となっている。そのため、導光板８０１９の各端部（光源非対向隣接端部）８０１９２，８０１９３の裏面は、補色部材８０２３によって隅々まで覆われている。
【００９３】  図１８には、導光板８０１９において、光入射面８０１９ｃに隣接する２つの短辺側端面（光源非対向隣接端面）８０１９ｅ，８０１９ｆ付近に、蛍光体チューブ８０３０の各端部８０３４，８０３５から、ＬＥＤ８０１７の光出射方向に沿ってそれぞれ直線的に延びた範囲Ｒ１，Ｒ２が示されている。これらの範囲Ｒ１，Ｒ２の導光板８０１９内に、蛍光体チューブ８０３０の各端部８０３４，８０３５から出射した青みを帯びた光（青色光の存在比率が中央側よりも高くなっている光）が供給される。補色部材８０２３は、それらの範囲Ｒ１，Ｒ２に対応する部分の裏面８０１９ｂを少なくとも覆う形で配設されている。
【００９４】  以上のような構成の照明装置８０１２において、各ＬＥＤ８０１７に電力が供給されると、各ＬＥＤ８０１７が点灯して、各ＬＥＤ８０１７より出射された一次光（青色光）が、蛍光体チューブ８０３０内に入射される。波長変換部８０３１を含む部分（筒状本体部８０３３及び波長変換部８０３１からなる中央部分）の蛍光体チューブ８０３０には、ＬＥＤ列８０１７０のうち、主として中央側の複数のＬＥＤ８０１７より出射された一次光が入射される。なお、蛍光体チューブ８０３０の各端部８０３４，８０３５には、ＬＥＤ列８０１７０のうち、主として、ＬＥＤ列８０１７０の両端の各ＬＥＤ８０１７から出射された一次光の一部が入射される。
【００９５】  蛍光体チューブ８０３０内に入射した一次光のうち、波長変換部８０３１中の量子ドット蛍光体により吸収されたものは、波長変換されて二次光として蛍光体チューブ８０３０から出射される。また、それ以外の蛍光体チューブ８０３０内に入射した主な一次光は、蛍光体チューブ８０３０で波長変換されずにそのまま一次光として蛍光体チューブ８０３０から出射される。
【００９６】  波長変換部８０３１を含む部分（筒状本体部８０３３及び波長変換部８０３１からなる中央部分）の蛍光体チューブ８０３０では、各ＬＥＤ８０１７から出射された一次光が蛍光体チューブ８０３０を透過することで、一次光及び二次光を含む白色の透過光が生成され、その透過光が光入射面８０１９ｃより導光板８０１９内に入射される。これに対し、蛍光体チューブ８０３０の各端部８０３４，８０３５では、ＬＥＤ８０１７から出射された一次光がそのまま各端部８０３４，８０３５を透過することで、一次光を多く含む青みを帯びた光（透過光）がそれぞれ生成される。そして、それらの青みを帯びた光は、主として、光入射面８０１９ｃの各端側からそれぞれ導光板８０１９の各端部８０１９２，８０１９３内に入射される。このように導光板８０１９内に入射された光は、導光板８０１９内で反射等を繰り返しながら伝播する。そして、導光板８０１９内を伝播する際に、裏面８０１９ｂの光反射・散乱パターン８０２２（ドット部８０２２ａ）に当たった光は、光出射面８０１９ａに向かって立ち上がり、更に光出射面８０１９ａから光学部材８０１５側に出射される。
【００９７】  なお、蛍光体チューブ８０３０の各端部８０３４，８０３５より出射された青みを帯びた光（透過光）は、導光板８０１９内に入射されると、入射された光の一部が、裏面（反対面）８０１９ｂを通過して補色部材８０２３に供給される。すると、その光に含まれる一次光（青色光）が、補色部材８０２３に含まれる蛍光体により波長変換され、二次光（緑色光及び赤色光からなる黄色光）として出射される。つまり、導光板８０１９の各端部８０１９２，８０１９３内では、一次光の存在比率が低められると共に、二次光の存在比率が高められるため、光全体としては、白色化される。
【００９８】  なお、補色部材８０２３に対して、二次光が供給された場合、その光は、補色部材８０２３を透過して反射シート８０２０で反射等されて、再び導光板８０１９内へ戻される。
【００９９】  また、各端部８０３４，８０３５より導光板８０１９内に供給された光や、反射シート８０２０等により再び導光板８０１９内に戻された光が、裏面８０１９ｂに設けられている白色のドット部８０２２ａに当たると、それらの光はドット部８０２２ａによって光出射面８０１９ａ側に立ち上がるように反射又は散乱等される。そのため、導光板８０１９の光出射面８０１９ａのうち、青みを帯びた光が供給される前記範囲Ｒ１，Ｒ２に対応する部分からは、青みが低減され、白色化された光が出射されることになる。したがって、光出射面８０１９ａ全体からは、色ムラが抑制された白色の面状の光が出射されることになる。
【０１００】  光出射面８０１９ａより出射した光は、光学部材（光学シート）８０１５や、導光板８０１９の裏面８０１９ｂ側に配されている反射シート８０２０等に当たる等して、複数回の再帰反射を繰り返した後、最終的に液晶パネル８０１１の背面に向かうように、光学部材８０１５から面状に広がった光（面光）として出射する。
【０１０１】  なお、図１８において、光出射面８０１９ａの周端部に沿うように示される矩形状の範囲（一点鎖線）８０１３０は、フレーム８０１６の内周縁（枠本体部８０１６１の内周縁、ベゼル８０１３の内周縁）の位置を表す。導光板８０１９の光出射面８０１９ａより出射される光のうち、実際に液晶パネル８０１１に供給される光（つまり、照明装置８０１２より出射される光）は、フレーム８０１６の内周縁の内側を通過する光である。そのため、仮に、補色部材８０２３を照明装置８０１２から取り除いた場合、実際に液晶パネル８０１１の表示面に青みを帯びた部分が現れるのは、範囲８０１３０と範囲Ｒ１とで囲まれた範囲Ｒ１１に対応する部分と、範囲８０１３０と範囲Ｒ２とで囲まれた範囲Ｒ２２に対応する部である。
【０１０２】  導光板８０１９を平面視した際、補色部材８０２３ａは、上記各範囲Ｒ１１，Ｒ２２よりも、広い各範囲Ｒ１，Ｒ２と重なるように配されている。
【０１０３】  以上のように、本実施形態の照明装置８０１２では、補色部材８０２３が上記各範囲Ｒ１，Ｒ２と重なるように導光板８０１９の裏面８０１９ｂと反射シート８０２０との間に配されることで、光出射面８０１９ａの各範囲Ｒ１１，Ｒ２２（Ｒ１，Ｒ２）における、青色と補色の関係にある黄色を呈する光（補色光）の存在比率を高くし、青色を呈する光（青色光）の存在比率を低くすることができる。その結果、照明装置８０１２からは、中央側と同様、両端側も白味を帯びた光が出射される。つまり、照明装置８０１２では、面状に広がった出射光（面光）において、端側（光源非対向隣接端部８０１９２，８０１９３側）が中央側よりもＬＥＤ８０１７の一次光の色彩（青色）で色付くことが抑制されている。
【０１０４】  また、本実施形態の照明装置８０１２では、蛍光体チューブ（波長変換部材）８０３０の少なくとも一方の端部（非波長変換部）８０３４，８０３５が、光入射面８０１９ｃに隣接する導光板８０１９の側端面８０１９ｅ，８０１９ｆ側に配され、補色部材８０２３が、側端面８０１９ｅ，８０１９ｆを含む導光板８０１９の側端部８０１９２，８０１９３に沿うように裏面（反対面）８０１９ｂと反射シート（反射部材）８０２１との間に介在されている。
【０１０５】  また、本実施形態の照明装置８０１２では、蛍光体チューブ（波長変換部材）８０３０の端部８０３４，８０３５が、ＬＥＤ列８０１７０の端部よりも内側寄りに配されている。
【０１０６】  特に、本実施形態の照明装置８０１２では、蛍光体チューブ（波長変換部材）８０３０は、ＬＥＤ列８０１７０よりも長手方向の長さが短く設定されており、蛍光体チューブ（波長変換部材）８０３０の両端部（非波長変換部）８０３４，８０３５が、ＬＥＤ列８０１７０の両端部よりもそれぞれ内側よりに配されている。このような構成を備えることにより、照明装置８０１２内での蛍光体チューブ（波長変換部材）８０３０の取付位置が、長手方向に多少位置ずれした場合であっても、波長変換部８０３１を含む部分の蛍光体チューブ（波長変換部材）８０３０が、光入射面８０１９ｃよりも外側にはみ出すことが抑制される。なお、波長変換部８０３１の一部が光入射面８０１９ｃの外側にはみ出した場合、そのはみ出した部分からは、一次光が呈する基準色（青色光）と補色の関係にある色の光（黄色）で色付いたが光が出射されることになる。
【０１０７】  ＜実施形態５＞  次いで、本発明の実施形態５を、図２３等を参照しつつ説明する。本実施形態では、上記実施形態４の補色部材８０２３に代えて、補色部材８０２３Ａを用いた照明装置８０１２Ａを備える液晶表示装置８０１０Ａについて説明する。なお、本実施形態の照明装置８０１２Ａ（液晶表示装置８０１０Ａ）の基本的な構成は、上記実施形態４と同様である。そのため、実施形態４と同じ構成については、実施形態４と同じ符号を付し、その詳細説明は省略する。なお、以降の各実施形態においても、実施形態４と同じ構成については、実施形態４と同じ符号を付し、その詳細説明は省略する。
【０１０８】  図２３は、実施形態５に係る源非対向隣接端部８０１９２付近における液晶表示装置８０１０Ａの拡大断面図である。なお、図２３には、上記実施形態４の図２２に対応する部分が示されている。本実施形態の補色部材８０２３Ａは、上記実施形態４と同様、シート状をなし、ＬＥＤ８０１７から出射された光（一次光、青色光）が呈する青色（基準色）と補色の関係にある色（本実施形態の場合、黄色）を呈する部材からなる。ただし、補色部材８０２３Ａは、上記実施形態４のものとは異なり、ＬＥＤ８０１７からの光（一次光、青色光）を選択的に吸収する機能を備えている。なお、補色部材８０２３Ａは、二次光（緑色光、赤色光）を透過させる機能（光透過性）も備えている。このような補色部材８０２３Ａとしては、例えば、黄色のセロファンフィルムが利用される。
【０１０９】  本実施形態では、上記実施形態４と同様、青みを帯びた光が供給される、蛍光体チューブ８０３０の各端部８０３４，８０３５から、ＬＥＤ８０１７の光出射方向に沿ってそれぞれ直線的に延びた範囲Ｒ１，Ｒ２に対応する部分の裏面８０１９ｂを少なくとも覆う形で補色部材８０２３Ａが導光板８０１９の各端部（光源非対向端部）８０１９２，８０１９３と反射シート８０２０との間に介在される。例えば、導光板８０１９内に入射された一次光（青色光）のうち、裏面（反対面）８０１９ｂを通過して補色部材８０２３Ａに供給された光の一部は、補色部材８０２３Ａで吸収される。これに対して、補色部材８０２３Ａに、二次光（緑色光、赤色光）が供給された場合、その光は、補色部材８０２３Ａを透過して反射シート８０２０で反射等されて、再び導光板８０１９内へ戻される。
【０１１０】  本実施形態の照明装置８０１２Ａでは、光出射面８０１９ａの各範囲Ｒ１１，Ｒ２２（Ｒ１，Ｒ２）において、一次光（青色光）を選択的に吸収しつつ、二次光（緑色光及び赤色光からなる黄色光）を選択的に透過させる補色部材８０２３Ａを、反射シート８０２０に載せた状態で、導光板８０１９の各端部（光源非対向端部）８０１９２，８０１９３の裏面（反対面）８０１９ｂ側に配することで、光出射面８０１９ａの各範囲Ｒ１１，Ｒ２２（Ｒ１，Ｒ２）における、青色と補色の関係にある黄色を呈する光（補色光）の存在比率を高くし、青色を呈する光（青色光）の存在比率を低くすることができる。その結果、照明装置８０１２Ａからは、中央側と同様、両端側も白味を帯びた光が出射される。つまり、照明装置８０１２Ａでは、面状に広がった出射光（面光）において、端側（光源非対向隣接端部８０１９２，８０１９３側）が中央側よりもＬＥＤ８０１７の一次光の色彩（青色）で色付くことが抑制されている。このように、ＬＥＤ８０１７からの光（一次光、青色光）を選択的に吸収する機能を備えつつ、二次光（緑色光、赤色光）を透過させる機能（光透過性）も備えた補色部材８０２３Ａを利用してもよい。
【０１１１】  ＜実施形態６＞  次いで、本発明の実施形態６を、図２４等を参照しつつ説明する。本実施形態では、２つの蛍光体チューブ８０３０Ａ１，８０３０Ａ２を備えた照明装置８０１２Ｂについて説明する。図２４は、実施形態６の照明装置８０１２Ｂで利用されるＬＥＤ列８０１７０、蛍光体チューブ８０３０Ａ１，Ａ２及び導光板８０１９の配置関係を模式的に表した平面図である。本実施形態の場合、上記実施形態４とは異なり、２本（複数）の蛍光体チューブ８０３０Ａ１，８０３０Ａ２が利用される。そして、それらの蛍光体チューブ８０３０Ａ１，８０３０Ａ２は、一列に並べられた状態で利用される。本実施形態において、複数（２つ）の蛍光体チューブ８０３０Ａ１，８０３０Ａ２は、長手方向に一列に並べられた状態で、ＬＥＤ列８０１７０と光入射面８０１９ｃとの間に形成される隙間に介在される。なお、各蛍光体チューブ８０３０Ａ１，８０３０Ａ２は、長手方向における長さが、上記実施形態４の蛍光体チューブ８０３０よりも、短く設定されているものの、基本的な構成は上記実施形態４の蛍光体チューブ８０３０と同様であり、それぞれ波長変換部８０３１Ａ１，８０３１Ａ２、収容部８０３２Ａ１，８０３２Ａ２を備えている。また、各収容部８０３２Ａ１，８０３２Ａ２は、それぞれ筒状本体部８０３３Ａ１，８０３３Ａ２、封止端部（非波長変換部８０３４Ａ１，８０３５Ａ１，８０３４Ａ２，８０３５Ａ２）を備えている。
【０１１２】  ２本の蛍光体チューブ８０３０Ａ１，８０３０Ａ２は、導光板の光入射面８０１９ｃと、ＬＥＤ列８０１７０との間に配されている。図２４において、一方の蛍光体チューブ８０３０Ａ１は、導光板８０１９の左端面（短辺側端面）８０１９ｅ側寄りに配され、他方の蛍光体チューブ８０３０Ａ２は、導光板８０１９の右端面（短辺側端面）８０１９ｆ側寄りに配されている。蛍光体チューブ８０３０Ａ１の左側の端部８０３４Ａ１は、光入射面８０１９ｃからはみ出さないように、左端面８０１９ｅよりも内側寄りに配された状態で、光入射面８０１９ｃと対向している。また、蛍光体チューブ８０３０Ａ１の右側の端部８０３５Ａ１は、光入射面８０１９ｃの中央側に配された状態で、光入射面８０１９ｃと対向している。また、蛍光体チューブ８０３０Ａ２の右側の端部８０３５Ａ２は、光入射面８０１９ｃからはみ出さないように、右端面８０１９ｆよりも内側寄りに配された状態で、光入射面８０１９ｃと対向している。また、蛍光体チューブ８０３０Ａ２の左側の端部８０３５Ａ２は、光入射面８０１９ｃの中央側に配された状態で、光入射面８０１９ｃと対向している。
【０１１３】  蛍光体チューブ８０３０Ａ１，８０３０Ａ２は、ＬＥＤ列８０１７０よりも長手方向の長さが短く設定されている。各蛍光体チューブ８０３０Ａ１，８０３０Ａ２の各両端部８０３４Ａ１，８０３５Ａ１，８０３４Ａ２，８０３５Ａ２は、ＬＥＤ列８０１７０Ａの両端部よりもそれぞれ内側寄りに配されている。ＬＥＤ列８０１７０は、実施形態４と同様、複数の青色光を出射するＬＥＤ８０１７が列状に並んだ状態でＬＥＤ基板８０１８に実装されている。ＬＥＤ列８０１７０の左端に配されるＬＥＤ８０１７は、蛍光体チューブ８０３０Ａ１の左側の端部８０３４Ａ１と対向している。ただし、前記ＬＥＤ８０１７は、左側が部分的に端部８０３４Ａ１と対向せず、光入射面８０１９ｃと直接対向し、ＬＥＤ８０１７から出射される光（青色光、一次光）の一部が、光入射面８０１９ｃに直接入射される構成となっている。
【０１１４】  また、ＬＥＤ列８０１７０の右端に配されるＬＥＤ８０１７は、蛍光体チューブ８０３０Ａ２の右側の端部８０３５Ａ２と対向している。ただし、前記ＬＥＤ８０１７は、右側が部分的に端部８０３５Ａ２と対向せず、光入射面８０１９ｃと直接対向し、ＬＥＤ８０１７から出射される光の一部が、光入射面８０１９ｃに直接入射される構成となっている。また、ＬＥＤ列８０１７０の中央側に配される２つのＬＥＤ８０１７のうち、左側寄りに配される一方のＬＥＤ８０１７は、蛍光体チューブ８０３０Ａ１の右側の端部８０３５Ａ１と対向している。ただし、前記ＬＥＤ８０１７は、右側が部分的に端部８０３５Ａ１と対向せず、光入射面８０１９ｃと直接対向し、ＬＥＤ８０１７から出射される光（青色光、一次光）の一部が、光入射面８０１９ｃに直接入射される構成となっている。
【０１１５】  また、ＬＥＤ列８０１７０の中央側に配される２つのＬＥＤ８０１７のうち、右側寄りに配される他方のＬＥＤ８０１７は、蛍光体チューブ８０３０Ａ２の左側の端部８０３４Ａ２と対向している。ただし、前記ＬＥＤ８０１７は、左側が部分的に端部８０３４Ａ２と対向せず、光入射面８０１９ｃと直接対向し、ＬＥＤ８０１７から出射される光（青色光、一次光）の一部が、光入射面８０１９ｃに直接入射される構成となっている。また、その他の各ＬＥＤ８０１７Ａは、それぞれ蛍光体チューブ８０３０Ａ１，８０３０Ａ２の波長変換部８０３１Ａ１，８０３１Ａ２と対向するように配されている。また、各ＬＥＤ８０１７Ａは、ＬＥＤ８０１７の光出射方向において、光入射面８０１９ｃと重なるように配されている。
【０１１６】  このような照明装置８０１２Ｂにおいて、実施形態４と同様、導光板８０１９の短辺側の各端部８０１９２の裏側に、補色部材８０２３がそれぞれ配設されている。そして更に、本実施形態の照明装置８０１２Ｂでは、２つの蛍光体チューブ８０３０Ａ１，８０３０Ａ２同士が隣り合う部分から、ＬＥＤ８０１７の出射方向に沿いつつ、導光板８０１９の裏面を短辺方向に横切るように、導光板８０１９の裏面と反射シート８０２０の間に、補色部材８０２３Ｂが介在されている。補色部材８０２３Ｂは、実施形態４で例示した補色部材８０２３と同じ材質からなる。補色部材８０２３Ｂは、全体的には、矩形状をなしており、導光板８０１９の各端部８０１９２，８０１９３側に配される補色部材８０２３と比べて大きな形を備えている。
【０１１７】  以上のような照明装置８０１２Ｂにおいて、ＬＥＤ列８０１７０の各ＬＥＤ８０１７に対して、電力が供給されると、各ＬＥＤ８０１７が点灯し、各ＬＥＤ８０１７より出射された光（青色光、一次光）が、光入射面８０１９ｃより導光板８０１９内に入射する。その際、波長変換部８０３１Ａ１，８０３１Ａ２を含む部分の各蛍光体チューブ８０３０Ａ１，８０３０Ａ２からは、各ＬＥＤ８０１７からの青色光を受けて、白色光が出射される。これに対し、蛍光体チューブ８０３０の両端部８０３４Ａ１，８０３５Ａ１，８０３４Ａ２，８０３５Ａ２からも、各ＬＥＤ８０１７からの白色光を受けて、白色光が出射される。その結果、導光板８０１９内には、全体的に白色光が供給されるため、光出射面８０１９ａからは白色の面光が出射される。仮に、補色部材８０２３及び補色部材８０２３Ｂを照明装置８０１２Ｂから取り除いた場合、各蛍光体チューブ８０３０Ａ１，Ａ２の各端部８０３４Ａ１，８０３５Ａ１，８０３４Ａ２，８０３５Ａ２から、ＬＥＤ８０１７の光出射方向に沿ってそれぞれ直線的に延びた導光板８０１９の部分に、各端部８０３４Ａ１，８０３５Ａ１，８０３４Ａ２，８０３５Ａ２を透過等する等して青色光が供給される。
【０１１８】  つまり、本実施形態において、仮に、補色部材８０２３及び補色部材８０２３Ｂを照明装置８０１２Ｂから取り除いた場合、導光板８０１９の左端側、右端側に沿って青色光が供給されるのみならず、導光板８０１９の中央を短辺方向に横切るようにも青色光が供給されることになり、光出射面８０１９ａからは、部分的に一次光の色彩（青色）で色付いた面光（部分的に青みを帯びた面光）が出射されてしまう。しかしながら、本実施形態の照明装置８０１２Ｂでは、上述したように、導光板８０１９の両端部８０１９２，８０１９３の裏側に補色部材８０２３を配置すると共に、導光板８０１９の中央の裏側に補色部材８０２３Ｂを配置することで、出射光（面光）が一次光の色彩（青色）で色付くことが抑制されている。
【０１１９】  ＜実施形態７＞  次いで、本発明の実施形態７を、図２５及び図２６等を参照しつつ説明する。本実施形態の液晶表示装置８０１０Ｃで利用される照明装置８０１２Ｃは、長手状のホルダ８０６０によって保持された蛍光体チューブ８０３０Ｃを備えている。なお、蛍光体チューブ８０３０Ｃ自体の構成は、上記実施形態４のものと同様であり、波長変換部８０３１Ｃ、収容部８０３２Ｃ等を備えている。
【０１２０】  本実施形態の蛍光体チューブ（波長変換部材）８０３０Ｃは、図２５に示されるように、ＬＥＤ８０１７と導光板８０１９の光入射面８０１９ｃとの間の隙間に、ホルダ８０６０によって保持された状態で配置されている。ホルダ８０６０は、全体的には、長手状をなした部材であり、光反射性に優れた白色を呈する合成樹脂の成形品からなる。ホルダ８０６０は、蛍光体チューブ８０３０Ｃのうち、波長変換部を内包する部分を、略全長に亘って上下方向（表裏方向）から挟み込むような断面略Ｃ字状の形をなしている。ホルダ８０６０は、蛍光体チューブ８０３０Ｃを上下方向から挟み込む一対の表側保持壁部８０６１及び裏側保持壁部８０６２と、上下方向（表裏方向）で表側保持壁部８０６１と裏側保持壁部８０６２とを繋ぐと共に、蛍光体チューブ８０３０ＣよりもＬＥＤ８０１７側（ＬＥＤ基板８０１８側）に配される連結壁部８０６３とを備えている。なお、ホルダ８０６０は、蛍光体チューブ８０３０Ｂを上下方向から挟持した状態で、導光板８０１９の光入射面８０１９ｃ側に開放した形をなしている。
【０１２１】  本実施形態の場合、表側保持壁部８０６１が枠本体部８０１６１と当接し、かつ裏側保持壁部８０６２が底板８０１４ａ上に載せられた状態で、フレーム８０１６とシャーシ８０１４の底板８０１４ａとの間で挟まれている。連結壁部８０６３は、シャーシ８０１４内で上下方向に沿って起立しつつ、複数個のＬＥＤ８０１７が一列に並ぶ方向に沿って延びた形をなしている。また、連結壁部８０６３には、各ＬＥＤ８０１７を光入射面８０１９ｃ側に露出させるための複数の開口部８０６４が形成されている。なお、連結壁部８０６３は、シャーシ８０１４内において、各開口部８０６４から各ＬＥＤ８０１７を露出させた状態で、ＬＥＤ基板８０１８の実装面８０１８ａ上に宛がわれた状態となっている。蛍光体チューブ８０３０Ｃは、このようなホルダ８０６０によって保持された状態で、シャーシ８０１４の底板８０１４ａに対して図示されない固定手段により固定されている。なお、本実施形態の場合、図２５に示されるように、ＬＥＤ８０１７の発光面８０１７ａは、蛍光体チューブ８０３０Ｃの収容部８０３２の壁面に対して密着されている。本実施形態のように、ホルダ８０６０を利用して蛍光体チューブ８０３０Ｃを、シャーシ８０１４内の所定個所に配設してもよい。このようなホルダ８０６０を利用すれば、蛍光体チューブ８０３０Ｃを、適宜、所定個所に配置し易い。
【０１２２】  ＜実施形態８＞  次いで、本発明の実施形態８を図２７から図３６によって説明する。本実施形態に係るテレビ受信装置は、実施形態１と同様に、液晶表示装置９０１０を主体として構成され、この液晶表示装置９０１０は、図２７に示すように、画像を表示する表示パネルである液晶パネル９０１１と、液晶パネル９０１１に表示のための光を供給する外部光源であるバックライト装置（照明装置）９０１２と、を備え、これらが枠状のベゼル９０１３などにより一体的に保持されるようになっている。なお、液晶表示装置９０１０を構成する液晶パネル９０１１は実施形態１と同様の構成を備える。
【０１２３】  バックライト装置９０１２は、図２７に示すように、表側（液晶パネル９０１１側、出光側）の外部に向けて開口する光出射部９０１４ｂを有した略箱型をなすシャーシ９０１４と、シャーシ９０１４の光出射部９０１４ｂを覆う形で配される複数の光学部材（光学シート）９０１５と、を備える。さらに、シャーシ９０１４内には、光源であるＬＥＤ９０１７と、ＬＥＤ９０１７が実装されたＬＥＤ基板９０１８と、ＬＥＤ９０１７からの光を導光して光学部材９０１５（液晶パネル９０１１）へと導く導光板９０１９と、ＬＥＤ９０１７と導光板９０１９との間に介在する形で配されてＬＥＤ９０１７からの光を波長変換する主波長変換部（主波長変換チューブ）９０２０と、導光板９０１９などを表側から押さえるとともに光学部材９０１５を裏側から受けるフレーム９０１６と、が備えられる。そして、このバックライト装置９０１２は、その長辺側の一対の端部のうちの一方（図２７及び図２８に示す手前側、図２９に示す左側）の端部に、ＬＥＤ基板９０１８が配されており、そのＬＥＤ基板９０１８に実装された各ＬＥＤ９０１７が液晶パネル９０１１における長辺側の一端部寄りに偏在していることになる。なお、バックライト装置９０１２を構成するシャーシ９０１４、光学部材９０１５、フレーム９０１６、ＬＥＤ９０１７及びＬＥＤ９０１７が実装されるＬＥＤ基板９０１８は、特に説明のない限り実施形態１の構成と同様とされる。
【０１２４】  一方、導光板９０１９は、ほぼ透明で透光性に優れた合成樹脂材料（例えばＰＭＭＡなどのアクリル樹脂材料など）からなり、その屈折率が例えば１．４９程度と、空気の屈折率よりも十分に高いものとされる。導光板９０１９は、図２７及び図２８に示すように、液晶パネル９０１１及びシャーシ９０１４と同様に平面に視て横長の方形状をなすとともに光学部材９０１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板９０１９は、図２９及び図３０に示すように、シャーシ９０１４内において液晶パネル９０１１及び光学部材９０１５の直下位置に配されており、その外周端面のうちの一方（図２７及び図２８に示す手前側、図２９に示す左側）の長辺側の端面がシャーシ９０１４における長辺側の一端部に配されたＬＥＤ基板９０１８の各ＬＥＤ９０１７とそれぞれ対向状をなしている。従って、ＬＥＤ９０１７（ＬＥＤ基板９０１８）と導光板９０１９との並び方向がＹ軸方向と一致するのに対して、光学部材９０１５（液晶パネル９０１１）と導光板９０１９との並び方向がＺ軸方向と一致しており、両並び方向が互いに直交するものとされる。そして、導光板９０１９は、ＬＥＤ９０１７からＹ軸方向に向けて発せられた光を導入するとともに、その光を内部で伝播させつつ光学部材９０１５側（表側）へ向くよう立ち上げて出射させる機能を有する。導光板９０１９の厚み（Ｚ軸方向についての寸法）は、ＬＥＤ９０１７の高さ寸法（Ｚ軸方向についての寸法）よりも大きなものとされる。
【０１２５】  導光板９０１９における一対の板面のうちの表側の板面が、図２９及び図３０に示すように、内部の光を光学部材９０１５及び液晶パネル９０１１に向けて出射させる出光板面（光出射面）９０１９ａとなっている。導光板９０１９における板面に対して隣り合う外周端面は、その周方向であるＸ軸方向（ＬＥＤ９０１７の並び方向、ＬＥＤ基板９０１８の長辺方向、導光板９０１９の長辺方向）に沿って長手状をなす一対の長辺側の端面と、同じく周方向であるＹ軸方向（ＬＥＤ９０１７と導光板９０１９との並び方向、ＬＥＤ基板９０１８の板厚方向、導光板９０１９の短辺方向）に沿って長手状をなす一対の短辺側の端面と、から構成される。導光板９０１９の外周端面を構成する一対の長辺側の端面のうち、一方（図２７及び図２８に示す手前側）の長辺側の端面は、ＬＥＤ９０１７（ＬＥＤ基板９０１８）と所定の空間（後述する主波長変換部９０２０の配置スペース）を空けて対向状をなしており、これがＬＥＤ９０１７から発せられた光が後述する主波長変換部９０２０を介して入射される入光端面（光入射面）９０１９ｂとなっている。この入光端面９０１９ｂは、ＬＥＤ９０１７と対向状をなしていることから、「ＬＥＤ対向端面（光源対向端面）」であるとも言える。入光端面９０１９ｂは、その長さ方向（長辺方向）がＸ軸方向と、幅方向（短辺方向）がＺ軸方向と、法線方向がＹ軸方向と、それぞれ一致しており、出光板面９０１９ａに対して略直交する面とされる。これに対して、導光板９０１９の上記外周端面のうち、入光端面９０１９ｂを除いた部分（他方の長辺側の端面及び一対の短辺側の端面）が、ＬＥＤ９０１７から発せられた光が直接的に入射されることがない非入光端面９０１９ｄとされる。この非入光端面９０１９ｄは、ＬＥＤ９０１７と対向状をなしていないことから、「ＬＥＤ非対向端面（光源非対向端面）」であるとも言える。非入光端面９０１９ｄは、導光板９０１９の上記外周端面における一対の長辺側の端面のうちの他方の端面、つまり上記した入光端面９０１９ｂとは反対側の端面から構成される非入光反対端面９０１９ｄ１と、入光端面９０１９ｂ及び非入光反対端面９０１９ｄ１に対して隣り合う一対の短辺側の端面から構成される一対の非入光側端面９０１９ｄ２と、からなる。なお、本実施形態では、ＬＥＤ非対向端面のことを「非入光端面９０１９ｄ」として説明しているが、光が全く入射しないことまでを意味するものではなく、例えば非入光端面９０１９ｄから一旦外側に漏れ出した光が例えばシャーシ９０１４の側部９０１４ｃによって反射されて戻された場合にはその戻される光が非入光端面９０１９ｄに入射することもあり得る。
【０１２６】  導光板９０１９における裏側、つまり出光板面９０１９ａとは反対側の反対板面９０１９ｃに対しては、図２９及び図３０に示すように、反射シート（反射部材）９０２５が裏側に重なる形で配されている。反射シート９０２５は、表面が光の反射性に優れた白色を呈する合成樹脂製（例えば発泡ＰＥＴ製）とされていて、導光板９０１９内を伝播して反対板面９０１９ｃに達した光を反射することでその光を表側、つまり出光板面９０１９ａへ向かうよう立ち上げるものとされる。反射シート９０２５は、導光板９０１９の反対板面９０１９ｃをほぼ全域にわたって覆う形で配されている。反射シート９０２５は、平面に視てＬＥＤ基板９０１８（ＬＥＤ９０１７）と重畳する範囲にまで拡張されてその拡張部分と表側のフレーム９０１６の枠状部９０１６ａとの間でＬＥＤ基板９０１８（ＬＥＤ９０１７）を挟み込む形で配されている。これにより、ＬＥＤ９０１７からの光を反射シート９０２５の拡張部分によって反射することで、入光端面９０１９ｂに対して効率的に入射させることができる。この導光板９０１９の反対板面９０１９ｃには、導光板９０１９内の光を出光板面９０１９ａに向けて反射させることで出光板面９０１９ａから出射を促すための光反射部からなる光反射パターン（図示せず）が形成されている。この光反射パターンを構成する光反射部は、多数の光反射ドットからなるものとされており、その分布密度が入光端面９０１９ｂ（ＬＥＤ９０１７）からの距離に応じて変化するものとされる。具体的には、光反射部を構成する光反射ドットの分布密度は、Ｙ軸方向について入光端面９０１９ｂから遠ざかるほど（非入光反対端面９０１９ｄ１に近づくほど）高くなり、逆に入光端面９０１９ｂに近づくほど（非入光反対端面９０１９ｄ１から遠ざかるほど）低くなる傾向にあり、それにより出光板面９０１９ａからの出射光が面内において均一な分布となるよう制御されている。
【０１２７】  主波長変換部９０２０について詳しく説明する。主波長変換部９０２０は、図３２及び図３３に示すように、ＬＥＤ９０１７から発せられた光（一次光）を他の波長の光（二次光）へと波長変換する蛍光体（波長変換物質）を有するとともにＬＥＤ９０１７と導光板９０１９の入光端面９０１９ｂとの間に介在する形で配されている。主波長変換部９０２０は、図示しない保持手段によって上記した姿勢に保持されている。主波長変換部９０２０は、導光板９０１９の入光端面９０１９ｂにおける長さ方向（Ｘ軸方向）に沿って延在し、入光端面９０１９ｂに対してほぼ全長にわたって対向状をなすとともにＬＥＤ基板９０１８に実装された全てのＬＥＤ９０１７に対して対向状をなす形で配されている。主波長変換部９０２０は、その長さ方向（延在方向、Ｘ軸方向）と直交する方向に沿って切断した断面形状が縦長の略長円形状をなしており、長さ寸法（Ｘ軸方向についての寸法）が導光板９０１９の長辺寸法（入光端面９０１９ｂの長さ寸法）よりも大きく、高さ寸法（Ｚ軸方向についての寸法）が導光板９０１９の厚み寸法（入光端面９０１９ｂの幅寸法）よりも大きなものとされる。主波長変換部９０２０は、Ｘ軸方向及びＺ軸方向に沿う両外面が共にほぼフラットな面とされており、各ＬＥＤ９０１７の発光面９０１７ａと対向する外面が同発光面９０１７ａに並行して同発光面９０１７ａからの光が入射される入光面９０２０ａとされるのに対し、導光板９０１９の入光端面９０１９ｂと対向する外面が同入光端面９０１９ｂに並行して同入光端面９０１９ｂに向けて光が出射される出光面９０２０ｂとされる。主波長変換部９０２０は、その幅方向（Ｙ軸方向）について内端位置がフレーム９０１６の枠状部９０１６ａの内端位置よりも外側に配されている。つまり、主波長変換部９０２０は、その全域がフレーム９０１６の枠状部９０１６ａと平面に視て重畳する配置とされているので、液晶表示装置９０１０の使用者に表側から主波長変換部９０２０が直接視認されるなどといった事態が生じ難いものとされる。このような構成によれば、ＬＥＤ９０１７から発せられた光は、ＬＥＤ９０１７と導光板９０１９の入光端面９０１９ｂとの間に介在する形で配される主波長変換部９０２０を透過する過程で波長変換されるなどしてから入光端面９０１９ｂに入射されて導光板９０１９内を伝播された後に出光板面９０１９ａから出射されることになる。主波長変換部９０２０は、ＬＥＤ９０１７と導光板９０１９の入光端面９０１９ｂとの間に介在する形で配されているので、仮に波長変換部をシート状に形成して導光板９０１９の出光板面９０１９ａまたは反対板面９０１９ｃに重なる形で配した場合に比べると、蛍光体の使用量が少なく済み、もって製造コストを低下させる上で好適とされる。
【０１２８】  そして、主波長変換部９０２０は、図３２及び図３３に示すように、ＬＥＤ９０１７からの光を波長変換するための蛍光体（波長変換物質）を含有する蛍光体含有部９０２９と、入光端面９０１９ｂの長さ方向であるＸ軸方向に沿って延在して蛍光体含有部９０２９を収容する容器（キャピラリ）９０３０と、容器９０３０におけるＸ軸方向についての端側部分を封止する封止部９０３１と、を有している。蛍光体含有部９０２９には、ＬＥＤ９０１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、主波長変換部９０２０は、ＬＥＤ９０１７の発光光（青色の光、一次光）をその色味（青色）に対して補色となる色味（黄色）を呈する二次光（緑色の光及び赤色の光）に波長変換するものとされる。蛍光体含有部９０２９は、例えば液体状態の紫外線硬化性樹脂材料中に赤色蛍光体及び緑色蛍光体を分散配合して得た蛍光体溶液を容器９０３０内に注入した後に照射される紫外線によって硬化されてなるものとされる。
【０１２９】  より詳しくは、蛍光体含有部９０２９に含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【０１３０】  蛍光体含有部９０２９は、図３２及び図３３に示すように、容器９０３０の内部空間に密封されており、Ｘ軸方向及びＺ軸方向に沿う面を有している。蛍光体含有部９０２９は、その形成範囲が、Ｘ軸方向についてＬＥＤ基板９０１８におけるＬＥＤ９０１７の実装範囲の大部分に対して重畳するとともに、Ｚ軸方向についてＬＥＤ９０１７の発光面９０１７ａの全域に対して重畳するよう設定されている。蛍光体含有部９０２９は、その厚さ寸法（Ｙ軸方向についての寸法）が、容器９０３０の厚さ寸法よりも小さくて具体的には約０．５ｍｍ程度とされる。蛍光体含有部９０２９は、Ｘ軸方向及びＺ軸方向に沿う表裏の両面が共にフラットな面とされ、ＬＥＤ９０１７の発光面９０１７ａ及び導光板９０１９の入光端面９０１９ｂにそれぞれ並行している。
【０１３１】  容器９０３０は、ほぼ透明で透光性に優れた無機ガラス材料（例えば無アルカリガラスや石英ガラスなど）からなり、その屈折率は、例えば約１．５程度とされる。容器９０３０は、図３２及び図３３に示すように、蛍光体含有部９０２９をその全長にわたって取り囲んでおり、Ｘ軸方向に沿って延在する略有底筒状をなすとともにその長さ方向（延在方向）と直交する形で切断した断面形状が縦長な略長円形状をなしている。容器９０３０における長さ方向に沿った両外面が、既述した入光面９０２０ａ及び出光面９０２０ｂを構成している。容器９０３０は、その厚さ寸法が、上記した蛍光体含有部９０２９の厚さ寸法よりも大きくて具体的には約１ｍｍ程度ずつとされる。容器９０３０は、その長さ方向についての一方の端側部分が封止部９０３１により封止されている。つまり、この主波長変換部９０２０は、片端側のみが封止部９０３１により封止された片側封止構造とされている。容器９０３０は、製造過程において蛍光体含有部９０２９が形成される前の段階では、一方の端側部分が外部に開口しているのに対し、他方の端側部分が底部９０３０ａにより閉塞した状態とされており、蛍光体含有部９０２９が形成された後に開口が封止部９０３１により封止されるようになっている。封止部９０３１は、容器９０３０と同一の無機ガラス材料からなるものとされているので、容器９０３０における端側部分を高い密閉性でもって封止することができる。封止部９０３１におけるＸ軸方向についての寸法は、容器９０３０における底部９０３０ａの厚み寸法よりは大きく、ＬＥＤ９０１７におけるＸ軸方向についての寸法よりも小さいか同じ程度とされており、具体的には例えば５ｍｍ程度とされる。
【０１３２】  上記のような構成（片側封止構造）の主波長変換部９０２０における長さ方向についての一対の端側部分９０２０ＥＰのうち、一方の端側部分９０２０ＥＰに封止部９０３１が設けられるのに対し、他方の端側部分９０２０ＥＰに封止部３１が設けられていないことから、以下では前者を封止部設置端側部分９０２０ＥＰ１とし、後者を封止部非設置端側部分（底部設置端側部分）９０２０ＥＰ２とする。主波長変換部９０２０における封止部設置端側部分９０２０ＥＰ１（封止部９０３１）は、図３３に示すように、導光板９０１９における一方（図３３に示す右側）の非入光側端面９０１９ｄ２よりもＸ軸方向について外側に突き出していて一方の非入光側端面９０１９ｄ２とＸ軸方向について重なり合う位置関係とされるのに対し、封止部非設置端側部分９０２０ＥＰ２（容器９０３０の底部９０３０ａ）は、導光板９０１９における他方（図３３に示す左側）の非入光側端面９０１９ｄ２よりもＸ軸方向について内側に引っ込んでいて他方の非入光側端面９０１９ｄ２とはＸ軸方向について重なり合わない位置関係とされる。主波長変換部９０２０における封止部設置端側部分９０２０ＥＰ１は、封止部９０３１を有しているのに対し、封止部非設置端側部分９０２０ＥＰ２は、封止部９０３１を有さずに容器９０３０の底部９０３０ａを有しているため、主波長変換部９０２０における長さ方向についての両端縁には、蛍光体含有部９０２９（蛍光体）が配置されない領域がそれぞれ少なからず存在することになる。特に、封止部設置端側部分９０２０ＥＰ１における端縁は、蛍光体含有部９０２９が配置されない領域が封止部９０３１におけるＸ軸方向についての寸法分だけ存在しており、封止部非設置端側部分９０２０ＥＰ２の同領域（底部９０３０ａの厚み寸法分）よりも広いものとなっている。ここで、液晶表示装置９０１０及びバックライト装置９０１２の狭額縁化が進行すると、主波長変換部９０２０における蛍光体含有部９０２９が配置されない領域がＬＥＤ９０１７とＸ軸方向について重なり合う位置関係となり易く、それに起因してＬＥＤ９０１７からの青色の光が蛍光体含有部９０２９の蛍光体により波長変換されずに導光板９０１９の入光端面９０１９ｂにおける長さ方向の端側部分に入射し、導光板９０１９におけるＸ軸方向についての端側部分から出射する光が青色味を帯びたものとなる、といった色ムラを発生させる事態が懸念されていた。特に、封止部設置端側部分９０２０ＥＰ１における端縁は、蛍光体含有部９０２９が配置されない領域が広いことから、同領域がＬＥＤ９０１７とＸ軸方向について重なり合う位置関係となり易く、色ムラの発生が懸念されていた。
【０１３３】  そこで、本実施形態に係るバックライト装置９０１２では、図３３及び図３４に示すように、導光板９０１９のうち主波長変換部９０２０における長さ方向の端側部分９０２０ＥＰに対してＸ軸方向（入光端面９０１９ｂの長さ方向）について重なる部分に設けられてＬＥＤ９０１７からの光を波長変換する副波長変換部（副波長変換シート）９０３２が備えられている。このような構成によれば、主波長変換部９０２０における長さ方向の端縁に蛍光体含有部９０２９が配置されない領域が生じ、その領域がＬＥＤ９０１７と長さ方向について重なり合うような位置関係になることに起因して主波長変換部９０２０における長さ方向の端側部分９０２０ＥＰを透過した光に、蛍光体含有部９０２９の蛍光体により波長変換されないものが含まれていても、その波長未変換の光を、導光板９０１９のうち主波長変換部９０２０における長さ方向の端側部分９０２０ＥＰに対して長さ方向について重なる部分に設けられた副波長変換部９０３２によって波長変換することができる。これにより、導光板９０１９の出光板面９０１９ａのうち入光端面９０１９ｂの長さ方向についての端側部分から出射される光の色味と、出光板面９０１９ａのうち入光端面９０１９ｂの長さ方向についての中央側部分から出射される光の色味と、に差が生じ難くなるので、狭額縁化が進行しても出光板面９０１９ａから出射される光に色ムラが発生し難いものとなる。
【０１３４】  副波長変換部９０３２について詳しく説明する。副波長変換部９０３２は、図３５に示すように、波長未変換の青色の光を波長変換するための蛍光体（波長変換物質）を含有する波長変換層（蛍光体フィルム）９０３２ａと、波長変換層９０３２ａを表裏から挟み込んでこれを保護する一対の保護層（保護フィルム）９０３２ｂと、から構成されており、全体としてシート状をなしている。波長変換層９０３２ａには、ＬＥＤ９０１７からの波長未変換の青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、副波長変換部９０３２は、波長未変換の青色の光（一次光）をその色味（青色）に対して補色となる色味（黄色）を呈する二次光（緑色の光及び赤色の光）に波長変換するものとされる。波長変換層９０３２ａは、ほぼ透明な合成樹脂製でフィルム状をなす基材（蛍光体担体）９０３２ａ１に、赤色蛍光体及び緑色蛍光体を分散配合した蛍光体層９０３２ａ２を塗布してなるものとされる。蛍光体層９０３２ａ２に分散配合される赤色蛍光体及び緑色蛍光体は、いずれも量子ドット蛍光体とされている。蛍光体層９０３２ａ２に含有される各量子ドット蛍光体は、好ましくは、主波長変換部９０２０の蛍光体含有部９０２９に含有される各量子ドット蛍光体と同一材料または近似した材料とされており、それにより副波長変換部９０３２により波長変換された緑色の光及び赤色の光に係る光学特性（主発光波長など）が、主波長変換部９０２０により波長変換された緑色の光及び赤色の光に係る光学特性と同一または近似したものとなる。保護層９０３２ｂは、ほぼ透明な合成樹脂製でフィルム状をなしており、防湿性などに優れるものとされる。
【０１３５】  副波長変換部９０３２は、図３４に示すように、導光板９０１９の外周端面における非入光端面９０１９ｄのうち、入光端面９０１９ｂに隣り合う非入光側端面９０１９ｄ２に重なる（接する）形で配されている。つまり、副波長変換部９０３２は、導光板９０１９における非入光側端面９０１９ｄ２に設置された「非入光端面副波長変換部」である、と言える。シート状をなす副波長変換部９０３２は、その板面が非入光側端面９０１９ｄ２に並行する形で非入光側端面９０１９ｄ２をほぼ全域にわたって覆う形で積層配置されている。ところで、主波長変換部９０２０におけるＸ軸方向の端側部分９０２０ＥＰを透過した光は、導光板９０１９の入光端面９０１９ｂにおけるＸ軸方向についての端側部分に入射してから、非入光側端面９０１９ｄ２へと向かい易い傾向にある。従って、主波長変換部９０２０における長さ方向の端側部分９０２０ＥＰを透過した光に、蛍光体含有部９０２９の蛍光体により波長変換されないものが含まれていても、その青色の光が非入光側端面９０１９ｄ２に達したところで副波長変換部９０３２に含まれる蛍光体により緑色の光及び赤色の光へと波長変換されるので、色ムラの発生を好適に抑制することができる。
【０１３６】  導光板９０１９には、入光端面９０１９ｂに隣り合う形で一対の非入光側端面９０１９ｄ２が備えられているが、このうち、主波長変換部９０２０の封止部設置端側部分９０２０ＥＰ１に対してＸ軸方向について重なる配置（図３４に示す右側の配置）となる非入光側端面９０１９ｄ２に対して副波長変換部９０３２が取り付けられている。つまり、副波長変換部９０３２は、一対の非入光側端面９０１９ｄ２のうち、封止部非設置端側部分９０２０ＥＰ２に対してＸ軸方向について外側（図３４に示す左側）に配される非入光側端面９０１９ｄ２には配されておらず、封止部設置端側部分９０２０ＥＰ１に対してＸ軸方向について重なる配置となる非入光側端面９０１９ｄ２のみに選択的に配されている。このような構成によれば、主波長変換部９０２０の封止部設置端側部分９０２０ＥＰ１において蛍光体含有部９０２９が配置されない範囲が封止部非設置端側部分９０２０ＥＰ２よりも広くなることに起因して封止部設置端側部分９０２０ＥＰ１の透過光に、蛍光体により波長変換されない青色の光が多く含まれていても、その光を副波長変換部９０３２により緑色の光及び赤色の光へと波長変換することができる。これにより、色ムラの発生をより好適に抑制することができる。しかも、導光板９０１９のうち封止部非設置端側部分９０２０ＥＰ２に対して長さ方向について外側に配される部分には、副波長変換部９０３２が配されることがないので、副波長変換部９０３２の設置に係るコストを削減する上で好適となる。
【０１３７】  この副波長変換部９０３２は、図３６に示すように、導光板９０１９の非入光側端面９０１９ｄ２に対して導光板側接着層９０３３を介して接着されることで導光板９０１９に対して一体に設けられている。これにより、導光板９０１９の非入光側端面９０１９ｄ２と副波長変換部９０３２との間に空気層などの界面が生じるのが避けられるから、非入光側端面９０１９ｄ２から出射した光が副波長変換部９０３２に到達するまでの間に不適切に屈折されることが避けられる。従って、導光板９０１９の非入光側端面９０１９ｄ２から出射した光が副波長変換部９０３２をより確実に透過することになるから、波長変換効率がより高いものとなり、色ムラの抑制を図る上でより好適となる。
【０１３８】  さらには、副波長変換部９０３２に対して外側（導光板９０１９側とは反対側））には、図３６に示すように、副波長変換部９０３２を透過した光を反射させる端面反射部材（端面反射シート）９０３４が重なる（接する）形で配されている。端面反射部材９０３４は、既述した反射シート９０２５と同様の構造とされる。すなわち、端面反射部材９０３４は、表面が光の反射性に優れた白色を呈する合成樹脂製（例えば発泡ＰＥＴ製）とされている。端面反射部材９０３４は、副波長変換部９０３２を全域にわたって外側から覆う形で配されている。このような構成によれば、導光板９０１９の入光端面９０１９ｂに入射してから非入光側端面９０１９ｄ２に達した光は、副波長変換部９０３２を透過してから端面反射部材９０３４により反射されることで、非入光側端面９０１９ｄ２からそのまま外部へと出射することなく導光板９０１９側に戻される。これにより、副波長変換部９０３２にて波長変換された光の利用効率が優れたものとなる。副波長変換部９０３２は、端面反射部材９０３４に対して端面反射部材側接着層９０３５を介して接着されており、端面反射部材側接着層９０３５によって端面反射部材９０３４に対して一体に設けられている、と言える。これにより、副波長変換部９０３２と端面反射部材９０３４との間に空気層などの界面が生じるのが避けられるから、副波長変換部９０３２を透過した光が端面反射部材９０３４に到達するまでの間に不適切に屈折されることが避けられる。従って、副波長変換部９０３２を透過した光が端面反射部材９０３４にてより確実に反射されることになるから、光の利用効率がより高いものとなる。
【０１３９】  本実施形態は以上のような構造であり、続いてその作用を説明する。液晶表示装置９０１０の電源をＯＮすると、図示しないコントロール基板のパネル制御回路により液晶パネル９０１１の駆動が制御されるとともに、図示しないＬＥＤ駆動基板からの駆動電力がＬＥＤ基板９０１８の各ＬＥＤ９０１７に供給されることでその駆動が制御される。各ＬＥＤ９０１７からの光は、導光板９０１９により導光されることで、光学部材９０１５を介して液晶パネル９０１１に照射され、もって液晶パネル９０１１に所定の画像が表示される。
【０１４０】  各ＬＥＤ９０１７を点灯させると、各ＬＥＤ９０１７の発光面９０１７ａから発せられた青色の光（一次光）は、図３２及び図３３に示すように、主波長変換部９０２０の入光面９０２０ａに入射し、容器９０３０内の蛍光体含有部９０２９に含有される緑色蛍光体及び赤色蛍光体により緑色の光及び赤色の光（二次光）へと波長変換される。この波長変換された緑色の光及び赤色の光と、ＬＥＤ９０１７の青色の光と、によって、概ね白色の照明光が得られることになる。蛍光体含有部９０２９にて波長変換された緑色の光及び赤色の光と、蛍光体含有部９０２９にて波長変換されなかった青色の光と、は、主波長変換部９０２０の出光面９０２０ｂから出射して導光板９０１９における入光端面９０１９ｂに入射する。入光端面９０１９ｂに入射した光は、導光板９０１９における外部の空気層との界面にて全反射されたり、反射シート９０２５により反射されるなどして導光板９０１９内を伝播されつつ、光反射パターンの光反射部にて散乱反射されることで、出光板面９０１９ａに対する入射角が臨界角を超えない光となって出光板面９０１９ａからの出射が促されるようになっている。導光板９０１９の出光板面９０１９ａを出射した光は、各光学部材９０１５を透過する過程でそれぞれ光学作用を付与された上で液晶パネル９０１１に対して照射される。
【０１４１】  主波長変換部９０２０に係る作用について詳しく説明する。図３２及び図３３に示すように、ＬＥＤ９０１７から発せられた青色の光（一次光）が主波長変換部９０２０の入光面９０２０ａに入射すると、容器９０３０内に充填された蛍光体含有部９０２９に分散配合された緑色蛍光体及び赤色蛍光体では青色の光の一部が励起光として利用されて緑色蛍光体及び赤色蛍光体から緑色の光及び赤色の光（二次光）が発せられる。波長変換された緑色の光及び赤色の光と、未変換の青色の光と、は、主波長変換部９０２０の出光面９０２０ｂから出射して導光板９０１９の入光端面９０１９ｂに入射されることになる。ここで、主波長変換部９０２０における長さ方向の両端側部分９０２０ＥＰの各端縁には、封止部９０３１及び容器９０３０の底部９０３０ａが存在するため、当該部位には蛍光体含有部９０２９の緑色蛍光体及び赤色蛍光体が配置されることがないものとされる。液晶表示装置９０１０及びバックライト装置９０１２の狭額縁化が進行すると、主波長変換部９０２０における緑色蛍光体及び赤色蛍光体が配置されない部位である封止部９０３１及び底部９０３０ａが、ＬＥＤ基板９０１８におけるＬＥＤ９０１７の並び方向（Ｘ軸方向）について端に位置するＬＥＤ（端側光源）９０１７と重なり合う位置関係となり易くなる。このような位置関係に起因してＬＥＤ９０１７からの光が緑色蛍光体及び赤色蛍光体により波長変換されずに導光板９０１９の入光端面９０１９ｂにおける長さ方向の端側部分に入射することが懸念されていた。特に、封止部設置端側部分９０２０ＥＰ１の封止部３１は、封止部非設置端側部分９０２０ＥＰ２における容器９０３０の底部９０３０ａに比べると、Ｘ軸方向についての寸法が大きなものとなっているから、端に位置するＬＥＤ９０１７に対してＸ軸方向について重なり合う位置関係によりなり易く、それに起因して端に位置するＬＥＤ９０１７からの青色の光が緑色蛍光体及び赤色蛍光体により波長変換されずに導光板９０１９の入光端面９０１９ｂのうち、封止部設置端側部分９０２０ＥＰ１と対向状をなす長さ方向の端側部分に入射して青色味を帯びた出射光が出光板面９０１９ａの一部から出射することが懸念されていた。
【０１４２】  その点、本実施形態によれば、図３４及び図３６に示すように、導光板９０１９のうち主波長変換部９０２０における長さ方向の端側部分９０２０ＥＰに対してＸ軸方向について重なる部分である非入光側端面９０１９ｄ２には、ＬＥＤ９０１７からの光を波長変換する蛍光体（緑色蛍光体及び赤色蛍光体）を有する副波長変換部９０３２が重なる形で設けられているから、上記のように主波長変換部９０２０における長さ方向の端側部分９０２０ＥＰを透過した光に、蛍光体含有部９０２９の蛍光体により波長変換されないものが含まれていても、その波長未変換の青色の光が導光板９０１９の入光端面９０１９ｂに入射した後に非入光側端面９０１９ｄ２に達すると、そこで副波長変換部９０３２に有される蛍光体によって緑色の光及び赤色の光へと波長変換される。しかも、副波長変換部９０３２は、一対の非入光側端面９０１９ｄ２のうち、封止部設置端側部分９０２０ＥＰ１に対してＸ軸方向について重なる配置となる非入光側端面９０１９ｄ２のみに選択的に配されているから、主波長変換部９０２０の封止部設置端側部分９０２０ＥＰ１において蛍光体含有部９０２９が配置されない範囲が封止部非設置端側部分９０２０ＥＰ２よりも広くなることに起因して封止部設置端側部分９０２０ＥＰ１の透過光に、蛍光体により波長変換されない青色の光が多く含まれていても、その光を副波長変換部９０３２により緑色の光及び赤色の光へと波長変換することができる。以上により、導光板９０１９の出光板面９０１９ａのうち入光端面９０１９ｂの長さ方向についての端側部分から出射される光の色味と、出光板面９０１９ａのうち入光端面９０１９ｂの長さ方向についての中央側部分から出射される光の色味と、に差が生じ難くなるので、狭額縁化が進行しても出光板面９０１９ａから出射される光に色ムラが発生し難いものとなる。さらには、副波長変換部９０３２に対して外側には、端面反射部材９０３４が重なる形で配されているから、導光板９０１９の入光端面９０１９ｂに入射してから非入光側端面９０１９ｄ２に達して副波長変換部９０３２を透過した光を端面反射部材９０３４により反射して導光板９０１９側に戻すことができる。これにより、副波長変換部９０３２にて波長変換された光が非入光側端面９０１９ｄ２からそのまま外部へと出射することがなく、導光板９０１９側に戻された後に出光板面９０１９ａから出射されることになるから、副波長変換部３２にて波長変換された光の利用効率が優れたものとなる。
【０１４３】  ＜実施形態９＞  本発明の実施形態９を図３７または図３８によって説明する。この実施形態９では、副波長変換部９０１３２の設置数を変更したものを示す。なお、上記した実施形態８と同様の構造、作用及び効果について重複する説明は省略する。  本実施形態に係る複数のＬＥＤ９０１１７のうち、主波長変換部９０１２０における封止部非設置端側部分９０１２０ＥＰ２が配置された側の端に位置するＬＥＤ（端側光源）９０１１７は、図３７に示すように、その一部が、主波長変換部９０１２０の封止部非設置端側部分９０１２０ＥＰ２のうち蛍光体含有部９０１２９が配置されない領域である容器９０１３０の底部９０１３０ａに対してＸ軸方向について重なり合う配置とされる。このような配置構成は、上記した実施形態８に記載したものよりもバックライト装置９０１１２の狭額縁化が進行した場合に採られ得るものとされる。このような配置構成において、副波長変換部９０１３２は、図３８に示すように、導光板９０１１９のうち封止部設置端側部分９０１２０ＥＰ１に対してＸ軸方向について重なる部分となる非入光側端面９０１１９ｄ２に加えて、導光板９０１１９のうち封止部非設置端側部分９０１２０ＥＰ２に対してＸ軸方向について外側に配される部分となる非入光側端面９０１１９ｄ２にも設けられている。つまり、副波長変換部９０１３２は、一対の非入光側端面９０１１９ｄ２のそれぞれに対して外側に重なる形で一対が設けられている。一対の副波長変換部９０１３２は、上記した実施形態８に記載したものと同様の構造とされており、各非入光側端面９０１１９ｄ２の全域をそれぞれ覆う形で配置されている。各副波長変換部９０１３２の外側には、それぞれ端面反射部材９０１３４が重なる形で設けられている。
【０１４４】  主波長変換部９０１２０における封止部非設置端側部分９０１２０ＥＰ２のうち蛍光体含有部９０１２９が配置されない領域である容器９０１３０の底部９０１３０ａが端に位置するＬＥＤ９０１１７とＸ軸方向について重なり合うような位置関係になると、主波長変換部９０１２０におけるＸ軸方向の封止部非設置端側部分９０１２０ＥＰ２を透過した光に、蛍光体により波長変換されない青色の光が含まれる場合がある。そのような場合でも、封止部非設置端側部分９０１２０ＥＰ２を透過した波長未変換の青色の光は、導光板９０１１９の入光端面９０１１９ｂに入射してからＸ軸方向について封止部非設置端側部分９０１２０ＥＰ２側の非入光側端面９０１１９ｄ２に達すると、そこに配された副波長変換部９０１３２によって緑色の光及び赤色の光に波長変換される。これにより、色ムラの発生がより好適に抑制される。さらには、副波長変換部９０１３２を透過した光は、端面反射部材９０１３４によって反射されることで導光板９０１１９側に戻されるので、光の利用効率が高いものとなる。なお、一対の副波長変換部９０１３２における蛍光体の含有量や含有濃度を異ならせることも可能であり、その場合は、封止部設置端側部分９０１２０ＥＰ１に対してＸ軸方向について重なり合う副波長変換部９０１３２を、封止部非設置端側部分９０１２０ＥＰ２に対してＸ軸方向について外側に位置する副波長変換部９０１３２よりも、蛍光体の含有量を多くして含有濃度を高くするのが好ましい。
【０１４５】  以上説明したように本実施形態によれば、副波長変換部９０１３２は、導光板９０１１９のうち封止部設置端側部分９０１２０ＥＰ１に対して長さ方向について重なる部分と、導光板９０１１９のうち封止部非設置端側部分９０１２０ＥＰ２に対して長さ方向について外側に配される部分と、に配される。このようにすれば、主波長変換部９０１２０における封止部非設置端側部分９０１２０ＥＰ２の端縁に蛍光体が配置されない領域が生じ、その領域がＬＥＤ９０１１７と長さ方向について重なり合うような位置関係になることに起因して主波長変換部９０１２０における長さ方向の封止部非設置端側部分９０１２０ＥＰ２を透過した光に、蛍光体により波長変換されないものが含まれていても、その光を副波長変換部９０１３２によって波長変換することができる。これにより、色ムラの発生がより好適に抑制される。
【０１４６】  ＜実施形態１０＞  本発明の実施形態１０を図３９によって説明する。この実施形態１０では、上記した実施形態８から主波長変換部９０２２０の設置数を変更したものを示す。なお、上記した実施形態８と同様の構造、作用及び効果について重複する説明は省略する。  本実施形態に係る主波長変換部９０２２０は、図３９に示すように、導光板９０２１９の入光端面９０２１９ｂの長さ方向に沿って２本が互いに隣り合う形で並んで配されている。２本の主波長変換部９０２２０は、互いの軸線がほぼ一致する形で、ＬＥＤ９０２１７と導光板９０２１９との間の空間にてＸ軸方向に沿って直線的に並んで配置されている。このように２本の主波長変換部９０２２０を用いるようにすれば、より大型のバックライト装置９０２１２に好適とされる。２本の主波長変換部９０２２０における互いに隣り合うことがない一対の端側部分９０２２０ＥＰは、それぞれ封止部設置端側部分９０２２０ＥＰ１とされるとともに、バックライト装置９０２１２におけるＸ軸方向（入光端面９０２１９ｂにおける長さ方向）についての両外側（両端）に配されている。これに対し、２本の主波長変換部９０２２０における互いに隣り合う一対の端側部分９０２２０ＥＰは、それぞれ封止部非設置端側部分９０２２０ＥＰ２とされるとともに、バックライト装置９０２１２におけるＸ軸方向についての中央側に配されている。２本の主波長変換部９０２２０における各封止部設置端側部分９０２２０ＥＰ１は、それぞれ導光板９０２１９における各非入光側端面９０２１９ｄ２よりもＸ軸方向について外側に突き出していて各非入光側端面９０２１９ｄ２とＸ軸方向について重なり合う位置関係とされる。２本の主波長変換部９０２２０の各封止部設置端側部分９０２２０ＥＰ１における各封止部９０２３１は、バックライト装置９０２１２においてＸ軸方向について端に位置する各ＬＥＤ（端側光源）９０２１７に対して部分的に重なり合う配置とされる。一方、２本の主波長変換部９０２２０における各封止部非設置端側部分９０２２０ＥＰ２が有する各容器９０２３０の底部９０２３０ａは、バックライト装置９０２１２においてＸ軸方向について中央に位置する各ＬＥＤ（中央側光源）９０２１７に対して重なり合わない配置とされる。また、ＬＥＤ基板９０２１８は、主波長変換部９０２２０と同様に、入光端面９０２１９ｂの長さ方向に沿って２枚が隣り合う形で並んで配されている。各ＬＥＤ基板９０２１８は、その長さ寸法が各主波長変換部９０２２０の長さ寸法と概ね同じ程度とされており、各主波長変換部９０２２０に対して個別に対向する形で配置されている。従って、各ＬＥＤ基板９０２１８に実装された複数ずつのＬＥＤ９０２１７から発せられた光は、各ＬＥＤ基板９０２１８と対向する各主波長変換部９０２２０に対してそれぞれ入射されるようになっている。
【０１４７】  そして、副波長変換部９０２３２は、導光板９０２１９のうち２本の主波長変換部９０２２０において互いに隣り合わない一対の端側部分９０２２０ＥＰである一対の封止部設置端側部分９０２２０ＥＰ１に対してＸ軸方向について重なり合う部分である一対の非入光側端面９０２１９ｄ２にそれぞれ設けられている。つまり、副波長変換部９０２３２は、上記した実施形態９と同様に、一対の非入光側端面９０２１９ｄ２のそれぞれに対して外側に重なる形で一対が設けられている。一対の副波長変換部９０２３２は、上記した実施形態８，９に記載したものと同様の構造とされており、各非入光側端面９０２１９ｄ２の全域をそれぞれ覆う形で配置されている。本実施形態においては、一対の副波長変換部９０２３２を同一部材とし、蛍光体の含有量や含有濃度を等しくするのが好ましい。また、各副波長変換部９０２３２の外側には、それぞれ端面反射部材９０２３４が重なる形で設けられている。このような構成によれば、バックライト装置９０２１２の狭額縁化に伴って、導光板９０２１９の入光端面９０２１９ｂにおける長さ方向についての両端側において、それぞれ主波長変換部９０２２０における蛍光体含有部９０２２９が配置されない領域である各封止部９０２３１が両端に位置する各ＬＥＤ（一対の端側光源）９０２１７とそれぞれ重なり合う位置関係となっていても、各封止部９０２３１を透過して導光板９０２１９の入光端面９０２１９ｂに入射された波長未変換の青色の光が、各非入光側端面９０２１９ｄ２に達したところでそこに配された各副波長変換部９０２３２によって緑色の光及び赤色の光へと波長変換される。これにより、狭額縁化が進行しても色ムラが生じ難いものとなっている。また、副波長変換部９０２３２を透過した光は、端面反射部材９０２３４によって反射されることで導光板９０２１９側に戻されるので、光の利用効率が高いものとなる。
【０１４８】  ＜実施形態１１＞  本発明の実施形態１１を図４０または図４１によって説明する。この実施形態１１では、上記した実施形態１０に記載した構成に出光板面副波長変換部９０３６及び出光板面反射部材９０３７を追加するなどしたものを示す。なお、上記した実施形態１０と同様の構造、作用及び効果について重複する説明は省略する。
【０１４９】  本実施形態に係る複数のＬＥＤ９０３１７のうち、その並び方向（Ｘ軸方向）についての中央に位置する２つのＬＥＤ（中央側光源）９０３１７は、図４０に示すように、２本の主波長変換部９０３２０において互いに隣り合う一対の端側部分９０３２０ＥＰである封止部非設置端側部分９０３２０ＥＰ２と対向状をなしている。これら中央に位置する２つのＬＥＤ９０３１７は、２本の主波長変換部９０３２０における各封止部非設置端側部分９０３２０ＥＰ２のうち蛍光体含有部９０３２９が配置されない領域である容器９０３３０の底部９０３３０ａに対してそれぞれＸ軸方向について重なり合う配置とされる。各封止部非設置端側部分９０３２０ＥＰ２と対向状をなす２つのＬＥＤ９０３１７は、２枚のＬＥＤ基板９０３１８において互いに隣り合う端部にそれぞれ配置されている。
【０１５０】  このような配置構成において、導光板９０３１９の出光板面９０３１９ａには、図４０及び図４１に示すように、Ｘ軸方向について２本の主波長変換部９０３２０における各封止部非設置端側部分９０３２０ＥＰ２の間に跨る範囲と重なる形成範囲を有する出光板面副波長変換部９０３６が設けられている。この出光板面副波長変換部９０３６は、導光板９０３１９における各非入光側端面９０３１９ｄ２に重なる形で設けられた一対の副波長変換部９０３３２と同様の構成を有している。つまり、出光板面副波長変換部９０３６は、青色の光を励起光として緑色の光及び赤色の光を発する緑色蛍光体及び赤色蛍光体を有しており、これら緑色蛍光体及び赤色蛍光体は、いずれも量子ドット蛍光体とされる。なお、図４０では、出光板面副波長変換部９０３６（出光板面反射部材９０３７）の形成範囲を二点鎖線により図示している。
【０１５１】  詳しくは、出光板面副波長変換部９０３６は、図４０に示すように、出光板面９０３１９ａのうちＸ軸方向について中央側に位置して配されており、そのＸ軸方向についての形成範囲が、一方の主波長変換部９０３２０における封止部非設置端側部分９０３２０ＥＰ２から他方の主波長変換部９０３２０における封止部非設置端側部分９０３２０ＥＰ２に跨る範囲に対してＸ軸方向について重なり合うものとされる。出光板面副波長変換部９０３６は、平面に視て横長の方形状をなしており、その長辺寸法（Ｘ軸方向についての寸法）は、各封止部非設置端側部分９０３２０ＥＰ２のＸ軸方向についての寸法と、隣り合う封止部非設置端側部分９０３２０ＥＰ２の間の間隔と、を足し合わせた大きさ程度となっている。このような構成により、２本の主波長変換部９０３２０における各封止部非設置端側部分９０３２０ＥＰ２を透過した光は、導光板９０３１９の入光端面９０３１９ｂに入射してから出光板面９０３１９ａに達すると、出光板面副波長変換部９０３６を透過し易いものとなる。従って、２本の主波長変換部９０３２０における各封止部非設置端側部分９０３２０ＥＰ２を透過した光に、蛍光体により波長変換されない青色の光が含まれていても、その青色の光が出光板面９０３１９ａに達したところで出光板面副波長変換部９０３６により波長変換されるので、色ムラの発生を好適に抑制することができる。
【０１５２】  出光板面副波長変換部９０３６の表側（外側、導光板９０３１９側とは反対側）には、図４１に示すように、出光板面副波長変換部９０３６を透過した光を反射させる出光板面反射部材９０３７が重なる形で設けられている。出光板面反射部材９０３７は、端面反射部材９０３３４と同様の部材であり、表面が光の反射性に優れた白色を呈する合成樹脂製（例えば発泡ＰＥＴ製）とされている。出光板面反射部材９０３７は、出光板面副波長変換部９０３６を全域にわたって表側から覆う形で配されている。そして、互いに表裏に積層された出光板面副波長変換部９０３６及び出光板面反射部材９０３７は、図４０に示すように、導光板９０３１９の出光板面９０３１９ａを、出射光が有効利用される有効発光領域ＥＡと有効発光領域ＥＡを取り囲む非有効発光領域ＮＥＡとに区分したとき、非有効発光領域ＮＥＡに配されている。なお、図４０では、枠状の一点鎖線が有効発光領域ＥＡの外形を表しており、当該一点鎖線よりも外側の領域が非有効発光領域ＮＥＡとなっている。このようにすれば、２本の主波長変換部９０３２０における各封止部非設置端側部分９０３２０ＥＰ２を透過した後に、導光板９０３１９の入光端面９０３１９ｂに入射してから出光板面９０３１９ａに達した光は、出光板面副波長変換部９０３６を透過してから出光板面反射部材９０３７により反射されることで導光板９０３１９側に戻される。これにより、出光板面副波長変換部９０３６にて波長変換された光が出光板面９０３１９ａからそのまま外部へと出射することがなく、導光板９０３１９側に戻された後に出光板面９０３１９ａから出射されることになるから、出光板面副波長変換部９０３６にて波長変換された光の利用効率が優れたものとなる。しかも、出光板面副波長変換部９０３６及び出光板面反射部材９０３７が出光板面９０３１９ａのうちの非有効発光領域ＮＥＡに配されているので、出光板面反射部材９０３７によって有効発光領域ＥＡから出射される光が妨げられる事態を避けることができる。
【０１５３】  以上説明したように本実施形態によれば、主波長変換部９０３２０は、長さ方向について複数が並んで配されており、出光板面副波長変換部（副波長変換部）９０３６は、導光板９０３１９の出光板面９０３１９ａに重なる形で配されていて長さ方向についての形成範囲が、複数の主波長変換部９０３２０において互いに隣り合う端側部分９０３２０ＥＰである封止部非設置端側部分９０３２０ＥＰ２の間に跨る範囲と重なるものとされる。このようにすれば、導光板９０３１９の入光端面９０３１９ｂの長さ方向に沿って並ぶ複数の主波長変換部９０３２０において互いに隣り合う端側部分９０３２０ＥＰである封止部非設置端側部分９０３２０ＥＰ２を透過した光は、入光端面９０３１９ｂに入射してから出光板面９０３１９ａに達すると、出光板面９０３１９ａにおける長さ方向についての形成範囲が複数の主波長変換部９０３２０において互いに隣り合う端側部分９０３２０ＥＰである封止部非設置端側部分９０３２０ＥＰ２の間に跨る範囲と重なる出光板面副波長変換部９０３６を透過する。従って、複数の主波長変換部９０３２０において互いに隣り合う端側部分９０３２０ＥＰである封止部非設置端側部分９０３２０ＥＰ２を透過した光に、蛍光体により波長変換されないものが含まれていても、その光が出光板面９０３１９ａに達したところで出光板面副波長変換部９０３６により波長変換されるので、色ムラの発生を好適に抑制することができる。
【０１５４】  ＜実施形態１２＞  本発明の実施形態１２を図４２によって説明する。この実施形態１２では、上記した実施形態８から反射シート９０４２５と端面反射部材９０４３４とを一体化したものを示す。なお、上記した実施形態８と同様の構造、作用及び効果について重複する説明は省略する。
【０１５５】  本実施形態に係る反射シート９０４２５には、図４２に示すように、端面反射部材９０４３４が一体形成されている。つまり、端面反射部材９０４３４は、反射シート９０４２５における外縁部から表側に向けて立ち上がるようほぼ垂直に屈曲されており、それにより非入光側端面９０４１９ｄ２に重なる副波長変換部９０４３２に対して外側（非入光側端面９０４１９ｄ２側とは反対側）に重なる形で配されている。反射シート９０４２５は、展開状態（端面反射部材９０４３４を屈曲させる前の状態）では、導光板９０４１９の非入光側端面９０４１９ｄ２よりも外側に延出する延出部を有しており、この延出部が端面反射部材９０４３４を構成している。このような構成によれば、端面反射部材９０４３４と反射シート９０４２５とが一部品化されるから、部品点数が削減されるのに加えて、端面反射部材９０４３４と反射シート９０４２５との間に隙間が生じることが避けられるので、導光板９０４１９からの光漏れがより生じ難いものとなる。なお、副波長変換部９０４３２は、端面反射部材９０４３４（反射シート９０４２５の延出部）に対して端面反射部材側接着層９０４３５を介して接着されるとともに、導光板９０４１９の非入光側端面９０４１９ｄ２に対して導光板側接着層９０４３３を介して接着されている。
【０１５６】  以上説明したように本実施形態によれば、導光板９０４１９の出光板面９０４１９ａとは反対側の板面と対向する形で配されるとともに光を反射する反射シート（反射部材）９０４２５を備えており、端面反射部材９０４３４は、反射シート９０４２５に一体形成されている。このようにすれば、端面反射部材９０４３４と反射シート９０４２５とが一部品化されるから、部品点数が削減されるのに加えて、端面反射部材９０４３４と反射シート９０４２５との間に隙間が生じることが避けられるので、導光板９０４１９からの光漏れが生じ難いものとなる。
【０１５７】  ＜実施形態１３＞  本発明の実施形態１３を図４３によって説明する。この実施形態１３では、上記した実施形態１２から副波長変換部９０５３２を変更したものを示す。なお、上記した実施形態１２と同様の構造、作用及び効果について重複する説明は省略する。
【０１５８】  本実施形態に係る副波長変換部９０５３２は、図４３に示すように、導光板９０５１９の非入光側端面９０５１９ｄ２に対して直接的に塗布されることで、導光板９０５１９に対して一体に設けられている。副波長変換部９０５３２は、図示しないＬＥＤからの青色の単色光を励起光として、赤色の光を発する赤色蛍光体と、緑色の光を発する緑色蛍光体と、をバインダに分散配合してなる蛍光体塗料（蛍光体分散液）からなる。具体的には、この蛍光体塗料を導光板９０５１９の非入光側端面９０５１９ｄ２の表面にほぼ均一な膜厚でもって塗布することで、副波長変換部９０５３２が導光板９０５１９の非入光側端面９０５１９ｄ２に対して上記した実施形態８に記載した導光板側接着層９０３３（図３６を参照）や空気層などの界面を有することがないよう一体化される。また、副波長変換部９０５３２は、端面反射部材９０５３４に対して端面反射部材側接着層９０５３５を介して接着されている。副波長変換部９０５３２を構成する蛍光体塗料に含有される各蛍光体としては、次のようなものを用いるのが好ましい。
【０１５９】  ＜実施形態１４＞  本発明の実施形態１４を図４４によって説明する。この実施形態１４では、上記した実施形態１３から副波長変換部９０６３２の配置を変更したものを示す。なお、上記した実施形態１３と同様の構造、作用及び効果について重複する説明は省略する。
【０１６０】  本実施形態に係る副波長変換部９０６３２は、図４４に示すように、端面反射部材９０６３４に対して直接的に塗布されることで、端面反射部材９０６３４に対して一体に設けられている。具体的には、副波長変換部９０６３２を構成する蛍光体塗料を端面反射部材９０６３４の表面にほぼ均一な膜厚でもって塗布することで、副波長変換部９０６３２が端面反射部材９０６３４に対して上記した実施形態８に記載した端面反射部材側接着層９０３５（図３６を参照）や空気層などの界面を有することがないよう一体化される。また、副波長変換部９０６３２は、導光板９０６１９の非入光側端面９０６１９ｄ２に対して導光板側接着層９０６３３を介して接着されている。このような構成によれば、上記した実施形態１３に比べると、副波長変換部９０６３２を容易に設置することができる。
【０１６１】  ＜実施形態１５＞  本発明の実施形態１５を図４５によって説明する。この実施形態１５では、上記した実施形態１４に記載した構成を実施形態１２に組み合わせたものを示す。なお、上記した実施形態１２，１４と同様の構造、作用及び効果について重複する説明は省略する。本実施形態に係る端面反射部材９０７３４は、図４５に示すように、反射シート９０７２５に一体形成されるのに加えて、表面に副波長変換部９０７３２が直接的に塗布されることで副波長変換部９０７３２が一体に設けられている。
【０１６２】  ＜実施形態１６＞  本発明の実施形態１６を図４６から図４８によって説明する。この実施形態１６では、上記した実施形態８に記載したものに主波長変換部９０８２０の保持構造を追加したものを示す。なお、上記した実施形態８と同様の構造、作用及び効果について重複する説明は省略する。本実施形態に係る主波長変換部９０８２０は、図４６に示すように、バックライト装置９０８１２内においてＬＥＤ９０８１７と導光板９０８１９の入光端面９０８１９ｂとの間となる位置にてホルダ９０３８によって保持されている。ホルダ９０３８は、光の反射性に優れた白色を呈する合成樹脂製とされており、主波長変換部９０８２０をほぼ全長にわたって取り囲む形で収容するよう略筒状をなしている。ホルダ９０３８は、主波長変換部９０８２０をＺ軸方向について図４６に示す上下から挟み込む一対の第１壁部９０３８ａと、主波長変換部９０８２０をＹ軸方向について図４６に示す左右（前後）から挟み込む一対の第２壁部９０３８ｂと、を有しており、これらの各壁部９０３８ａ，９０３８ｂによって主波長変換部９０８２０をほぼ全長にわたって取り囲んで保持を図っている。
【０１６３】  ホルダ９０３８を構成する一対の第２壁部９０３８ｂのうち、図４６に示す左側（ＬＥＤ基板９０８１８側）の第２壁部９０３８ｂには、図４６及び図４７に示すように、ＬＥＤ９０８１７を収容するＬＥＤ収容開口部９０３９が開口して設けられている。ＬＥＤ収容開口部９０３９は、ＬＥＤ基板９０８１８に実装された各ＬＥＤ９０８１７を個別に収容するよう、相互に独立した開口として第２壁部９０３８ｂに複数設けられている。ＬＥＤ収容開口部９０３９は、第２壁部９０３８ｂにおいてＸ軸方向に沿って複数（ＬＥＤ９０８１７と同数）が並んで設けられており、その配列間隔がＬＥＤ基板９０８１８における各ＬＥＤ９０８１７の配列間隔と一致している。このＬＥＤ収容開口部９０３９が設けられた第２壁部９０３８ｂは、その外面がＬＥＤ基板９０８１８における実装面９０８１８ａに接する形で固定されている。ＬＥＤ収容開口部９０３９に収容されたＬＥＤ９０８１７は、その発光面９０８１７ａが主波長変換部９０８２０の入光面９０８２０ａにほぼ接する位置関係に保たれている。これにより、ＬＥＤ９０８１７の発光面９０８１７ａから発せられた光が主波長変換部９０８２０の入光面９０８２０ａにより効率的に入射されるようになっている。
【０１６４】  一方、ホルダ９０３８を構成する一対の第２壁部９０３８ｂのうち、図４６に示す右側（導光板９０８１９側）の第２壁部９０３８ｂには、図４６及び図４８に示すように、主波長変換部９０８２０の出光面９０８２０ｂを出射した光を通して導光板９０８１９の入光端面９０８１９ｂに入射させるための透光開口部９０４０が開口して設けられている。透光開口部９０４０は、Ｘ軸方向に沿って延在する細長い開口として第２壁部９０３８ｂに設けられており、その形成範囲が全ＬＥＤ収容開口部９０３９の形成範囲を包含する大きさに設定されている。これにより、各ＬＥＤ９０８１７から発せられて主波長変換部９０８２０を透過した光を効率的に導光板９０８１９の入光端面９０８１９ｂに入射させることができる。この透光開口部９０４０が設けられた第２壁部９０３８ｂは、その外面がＹ軸方向について導光板９０８１９の入光端面９０８１９ｂとの間に所定の間隔を空けて対向状に配置されている。従って、バックライト装置９０８１２内の温度環境が高温化し、それに伴って導光板９０８１９が熱膨張した場合には、熱膨張した導光板９０８１９が主波長変換部９０８２０に干渉する手前の段階で透光開口部９０４０が設けられた第２壁部９０３８ｂに干渉することになる。つまり、透光開口部９０４０が設けられた第２壁部９０３８ｂによって熱膨張する導光板９０８１９の変位を規制することができるので、主波長変換部９０８２０及びＬＥＤ９０８１７に導光板９０８１９からの応力が直接的に作用するのを防ぐことができる。
【０１６５】  ＜実施形態１７＞  本発明の実施形態１７を図４９によって説明する。この実施形態１７では、上記した実施形態８からＬＥＤ９０９１７、ＬＥＤ基板９０９１８及び主波長変換部９０９２０の配置を変更したものを示す。なお、上記した実施形態８と同様の構造、作用及び効果について重複する説明は省略する。
【０１６６】  本実施形態に係るバックライト装置９０９１２では、図４９に示すように、ＬＥＤ９０９１７、ＬＥＤ基板９０９１８及び主波長変換部９０９２０が、シャーシ９０９１４における一方（図４９に示す左側）の短辺側の端部に配された構成となっている。詳しくは、ＬＥＤ基板９０９１８は、シャーシ９０９１４の一対の短辺側の側部９０９１４ｃのうち、一方（図４９に示す左側）の短辺側の側部９０９１４ｃに対して取り付けられている。ＬＥＤ基板９０９１８に実装された各ＬＥＤ９０９１７及び主波長変換部９０９２０は、導光板９０９１９の外周端面のうちの一方の短辺側の端面と対向する形で配されている。従って、本実施形態では、導光板９０９１９の外周端面のうち、一方の短辺側の端面が、ＬＥＤ９０９１７及び主波長変換部からの光が入射される入光端面９０９１９ｂとされるのに対し、残りの３つの端面（他方の短辺側の端面及び一対の長辺側の端面）が非入光端面９０９１９ｄとされる。非入光端面９０９１９ｄのうち、他方の短辺側の端面が入光端面９０９１９ｂとは反対側に配される非入光反対端面９０９１９ｄ１とされるのに対し、一対の長辺側の端面が入光端面９０９１９ｂに隣り合う一対の非入光側端面９０９１９ｄ２とされる。
【０１６７】  そして、副波長変換部９０９３２及び端面反射部材９０９３４は、導光板９０９１９の外周端面のうち一対の長辺側の端面、つまり一対の非入光側端面９０９１９ｄ２のうち、主波長変換部９０９２０における封止部設置端側部分９０９２０ＥＰ１とＹ軸方向（入光端面９０９１９ｂの長さ方向）について重なる側の非入光側端面９０９１９ｄ２に設けられている。このような構成であっても、上記した実施形態８と同様の作用及び効果を得ることができる。
【０１６８】  ＜実施形態１８＞  本発明の実施形態１８を図５０によって説明する。この実施形態１８では、上記した実施形態８から両側入光タイプのバックライト装置９０１０１２に変更したものを示す。なお、上記した実施形態８と同様の構造、作用及び効果について重複する説明は省略する。
【０１６９】  本実施形態に係るバックライト装置９０１０１２では、図５０に示すように、ＬＥＤ９０１０１７、ＬＥＤ基板９０１０１８及び主波長変換部９０１０２０が、シャーシ９０１０１４における長辺側の両端部にそれぞれ配された構成となっている。詳しくは、ＬＥＤ基板９０１０１８は、シャーシ９０１０１４における一方（図５０に示す下側）の長辺側の側部９０１０１４ｃと、他方（図５０に示す上側）の長辺側の側部９０１０１４ｃと、に対してそれぞれ取り付けられている。各ＬＥＤ基板９０１０１８に実装された各ＬＥＤ９０１０１７及び主波長変換部９０１０２０は、導光板９０１０１９の外周端面のうちの一対の長辺側の端面のそれぞれと対向する形で配されている。従って、本実施形態では、導光板９０１０１９の外周端面のうちの一対の長辺側の端面のそれぞれがＬＥＤ９０１０１７及び主波長変換部９０１０２０からの光が入射される入光端面９０１０１９ｂとされるのに対し、残りの一対の短辺側の端面が非入光端面９０１０１９ｄとされる。従って、本実施形態に係る非入光端面９０１０１９ｄには、上記した実施形態８のような非入光反対端面９０１９ｄ１（図２８を参照）が含まれることがなく、入光端面９０１０１９ｂに隣り合う一対の非入光側端面９０１０１９ｄ２のみが含まれている。このように本実施形態に係るバックライト装置９０１０１２は、導光板９０１０１９がその短辺方向（Ｙ軸方向）についての両側から各ＬＥＤ基板９０１０１８、各ＬＥＤ９０１０１７及び各主波長変換部９０１０２０によって挟み込まれてなる、両側入光タイプとされている。
【０１７０】  一対の主波長変換部９０１０２０は、各封止部設置端側部分９０１０２０ＥＰ１がＸ軸方向について互いに重なり合わない配置とされている。つまり、一方の主波長変換部９０１０２０における封止部設置端側部分９０１０２０ＥＰ１は、他方の主波長変換部９０１０２０における封止部非設置端側部分９０１０２０ＥＰ２とＸ軸方向について重なり合うのに対し、他方の主波長変換部９０１０２０における封止部設置端側部分９０１０２０ＥＰ１は、一方の主波長変換部９０１０２０における封止部非設置端側部分９０１０２０ＥＰ２とＸ軸方向について重なり合うよう配置されている。そして、副波長変換部９０１０３２及び端面反射部材９０１０３４は、導光板９０１０１９の外周端面のうち、各主波長変換部９０１０２０における各封止部設置端側部分９０１０２０ＥＰ１に対してＸ軸方向についてそれぞれ重なり合う一対の非入光側端面９０１０１９ｄ２にそれぞれ設けられている。このような構成であっても、上記した実施形態８と同様の作用及び効果を得ることができる。
【０１７１】  ＜実施形態１９＞  本発明の実施形態１９を図５１によって説明する。この実施形態１９では、上記した実施形態１８からＬＥＤ９０１１１７、ＬＥＤ基板９０１１１８及び主波長変換部９０１１２０の配置を変更したものを示す。なお、上記した実施形態１８と同様の構造、作用及び効果について重複する説明は省略する。
【０１７２】  本実施形態に係るバックライト装置９０１１１２では、図５１に示すように、ＬＥＤ９０１１１７、ＬＥＤ基板９０１１１８及び主波長変換部９０１１２０が、シャーシ９０１１１４における短辺側の両端部にそれぞれ配された構成となっている。詳しくは、ＬＥＤ基板９０１１１８は、シャーシ９０１１１４における一方（図５１に示す左側）の短辺側の側部９０１１１４ｃと、他方（図５１に示す右側）の短辺側の側部９０１１１４ｃと、に対してそれぞれ取り付けられている。各ＬＥＤ基板９０１１１８に実装された各ＬＥＤ９０１１１７及び主波長変換部９０１１２０は、導光板９０１１１９の外周端面のうちの一対の短辺側の端面のそれぞれと対向する形で配されている。従って、本実施形態では、導光板９０１１１９の外周端面のうちの一対の短辺側の端面のそれぞれがＬＥＤ９０１１１７からの光が入射される入光端面９０１１１９ｂとされるのに対し、残りの一対の長辺側の端面が非入光端面９０１１１９ｄ（一対の非入光側端面９０１１１９ｄ２）とされる。このように本実施形態に係るバックライト装置９０１１１２は、導光板９０１１１９がその長辺方向（Ｘ軸方向）についての両側から一対のＬＥＤ基板９０１１１８及びそれらに実装された各ＬＥＤ９０１１１７によって挟み込まれてなる、両側入光タイプとされている。
【０１７３】  一対の主波長変換部９０１１２０は、各封止部設置端側部分９０１１２０ＥＰ１がＹ軸方向（入光端面９０１１１９ｂの長さ方向）について互いに重なり合わない配置とされている。そして、副波長変換部９０１１３２及び端面反射部材９０１１３４は、導光板９０１１１９の外周端面のうち、各主波長変換部９０１１２０における各封止部設置端側部分９０１１２０ＥＰ１に対してＹ軸方向についてそれぞれ重なり合う一対の非入光側端面９０１１１９ｄ２にそれぞれ設けられている。このような構成であっても、上記した実施形態８と同様の作用及び効果を得ることができる。
【０１７４】  ＜実施形態２０＞  本発明の実施形態２０を図５２によって説明する。この実施形態２０では、上記した実施形態１８からＬＥＤ９０１２１７、ＬＥＤ基板９０１２１８及び主波長変換部９０１２２０の設置数を変更したものを示す。なお、上記した実施形態１８と同様の構造、作用及び効果について重複する説明は省略する。
【０１７５】  本実施形態に係るバックライト装置９０１２１２では、図５２に示すように、ＬＥＤ９０１２１７、ＬＥＤ基板９０１２１８及び主波長変換部９０１２２０が、シャーシ９０１２１４における長辺側の両端部と、一方（図５２に示す左側）の短辺側の端部と、にそれぞれ配された構成となっている。詳しくは、ＬＥＤ基板９０１２１８は、シャーシ９０１２１４における一方（図５２に示す下側）の長辺側の側部９０１２１４ｃと、他方（図５２に示す上側）の長辺側の側部９０１２１４ｃと、一方の短辺側の側部９０１２１４ｃと、に対してそれぞれ取り付けられている。各ＬＥＤ基板９０１２１８に実装された各ＬＥＤ９０１２１７及び主波長変換部９０１２２０は、導光板９０１２１９の外周端面のうちの一対の長辺側の端面及び一方の短辺側の端面のそれぞれと対向する形で配されている。従って、本実施形態では、導光板９０１２１９の外周端面のうちの一対の長辺側の端面及び一方の短辺側の端面のそれぞれがＬＥＤ９０１２１７からの光が入射される入光端面９０１２１９ｂとされるのに対し、残りの他方の短辺側の端面が非入光端面９０１２１９ｄとされる。従って、本実施形態に係る非入光端面９０１２１９ｄは、短辺側の入光端面９０１２１９ｂに対しては非入光反対端面９０１２１９ｄ１となり且つ一対の長辺側の入光端面９０１２１９ｂに対しては非入光側端面９０１２１９ｄ２となっている。このように本実施形態に係るバックライト装置９０１２１２は、導光板９０１２１９がその３つの辺部に倣って配される３つのＬＥＤ基板９０１２１８及びそれらに実装された各ＬＥＤ９０１２１７から入光される、３辺入光タイプとされている。そして、副波長変換部９０１２３２及び端面反射部材９０１２３４は、導光板９０１２１９の外周端面のうち、非入光端面９０１２１９ｄにそれぞれ設けられている。このような構成であっても、上記した実施形態８と同様の作用及び効果を得ることができる。
【０１７６】  ＜実施形態２１＞  本発明の実施形態２１を図５３または図５４によって説明する。この実施形態２１では、上記した実施形態８から副波長変換部９０１３３２の配置を変更したものを示す。なお、上記した実施形態８と同様の構造、作用及び効果について重複する説明は省略する。
【０１７７】  本実施形態に係る副波長変換部９０１３３２は、図５３及び図５４に示すように、導光板９０１３１９の入光端面９０１３１９ｂに設けられており、入光端面９０１３１９ｂのうちその長さ方向（Ｘ軸方向）についての端側部分に対して外側（主波長変換部９０１３２０側）に重なる形で配されている。入光端面９０１３１９ｂにおける長さ方向についての端側部分及びそこに設置された副波長変換部９０１３３２は、主波長変換部９０１３２０の長さ方向についての端側部分９０１３２０ＥＰである封止部設置端側部分９０１３２０ＥＰ１とＸ軸方向について重なり合う位置関係とされる。主波長変換部９０１３２０における封止部設置端側部分９０１３２０ＥＰ１には、蛍光体含有部９０１３２９が配置されない領域である封止部９０１３３１が設けられているため、封止部設置端側部分９０１３２０ＥＰ１を透過して入光端面９０１３１９ｂの端側部分に入射する光には、波長未変換の青色の光が多く含まれる可能性がある。そのような場合であっても、入光端面９０１３１９ｂの端側部分に入射する光は、そこに設置された副波長変換部９０１３３２を透過するので、そこで波長未変換の青色の光が緑色の光及び赤色の光へと波長変換されるようになっている。これにより、入光端面９０１３１９ｂの端側部分に入射する光が青色味を帯び難いものとなり、もって色ムラの発生を好適に抑制することができる。また、副波長変換部９０１３３２は、封止部９０１３３１に加えて蛍光体含有部９０１３２９におけるＸ軸方向についての端部に対してもＸ軸方向について重なり合う配置とされ、それにより封止部９０１３３１を透過した光に屈折して斜めに進行するものが生じても、その光を波長変換することが可能とされる。なお、本実施形態では、上記した実施形態８に記載した端面反射部材９０３４が備えられていない。
【０１７８】  ＜実施形態２２＞  本発明の実施形態２２を図５５によって説明する。この実施形態２２では、上記した実施形態２１から副波長変換部９０１４３２の設置数を変更したものを示す。なお、上記した実施形態２１と同様の構造、作用及び効果について重複する説明は省略する。
【０１７９】  本実施形態に係る複数のＬＥＤ９０１４１７のうち、主波長変換部９０１４２０における封止部非設置端側部分９０１４２０ＥＰ２が配置された側の端に位置するＬＥＤ（端側光源）９０１４１７は、図５５に示すように、その一部が、主波長変換部９０１４２０の封止部非設置端側部分９０１４２０ＥＰ２のうち蛍光体含有部９０１４２９が配置されない領域である容器９０１４３０の底部９０１４３０ａに対してＸ軸方向について重なり合う配置とされる。この配置構成は、上記した実施形態９に記載したものと同様である。このような配置構成において、副波長変換部９０１４３２は、導光板９０１４１９の入光端面９０１４１９ｂのうち、封止部設置端側部分９０１４２０ＥＰ１に対してＸ軸方向について重なる端側部分に加えて、封止部非設置端側部分９０１４２０ＥＰ２に対してＸ軸方向について重なる端側部分にも設けられている。つまり、副波長変換部９０１４３２は、入光端面９０１４１９ｂにおける長さ方向についての両端側部分に対してそれぞれ外側（主波長変換部９０１４２０側）に重なる形で配されている。
【０１８０】  主波長変換部９０１４２０における封止部非設置端側部分９０１４２０ＥＰ２のうち蛍光体含有部９０１４２９が配置されない領域である容器９０１４３０の底部９０１４３０ａが端に位置するＬＥＤ９０１４１７とＸ軸方向について重なり合うような位置関係になると、主波長変換部９０１４２０におけるＸ軸方向の封止部非設置端側部分９０１４２０ＥＰ２を透過した光に、蛍光体により波長変換されない青色の光が含まれる場合がある。そのような場合でも、封止部非設置端側部分９０１４２０ＥＰ２を透過した光は、そこに設置された副波長変換部９０１４３２を透過するので、そこで波長未変換の青色の光が緑色の光及び赤色の光へと波長変換されるようになっている。これにより、入光端面９０１４１９ｂの両端側部分に入射する光がそれぞれ青色味を帯び難いものとなり、もって色ムラの発生を好適に抑制することができる。
【０１８１】  ＜実施形態２３＞  本発明の実施形態２３を図５６によって説明する。この実施形態２３では、上記した実施形態１０からＬＥＤ基板９０１５１８の設置数を変更したものを示す。なお、上記した実施形態１０と同様の構造、作用及び効果について重複する説明は省略する。
【０１８２】  本実施形態に係るＬＥＤ基板９０１５１８は、図５６に示すように、導光板９０１５１９の入光端面９０１５１９ｂの長さ方向（Ｘ軸方向）に沿って３枚が互いに隣り合う形で並んで配されている。各ＬＥＤ基板９０１５１８は、その長さ寸法が各主波長変換部９０１５２０の長さ寸法よりも短いものとされている。このうち、Ｘ軸方向について両端に位置する一対のＬＥＤ基板９０１５１８に実装された複数のＬＥＤ９０１５１７の一部（バックライト装置９０１５１２におけるＸ軸方向について端に位置するＬＥＤ９０１５１７）は、各主波長変換部９０１５２０における封止部設置端側部分９０１５２０ＥＰ１とＸ軸方向について重なり合う配置とされる。これに対し、Ｘ軸方向について中央に位置するＬＥＤ基板９０１５１８に実装された複数のＬＥＤ９０１５１７の一部（バックライト装置９０１５１２におけるＸ軸方向について中央に位置するＬＥＤ９０１５１７）は、各主波長変換部９０１５２０における封止部非設置端側部分９０１５２０ＥＰ２とＸ軸方向について重なり合う配置とされる。このような構成によれば、より大型のバックライト装置９０１５１２に好適とされる。
【０１８３】  ＜他の実施形態＞  本発明は上記記述及び図面によって説明した実施形態に限定されるものではなく、例えば次のような実施形態も本発明の技術的範囲に含まれる。  （１）上記実施形態では、導光板の各端面のうち、長辺側の端面の１つを光入射面として設定していたが、本発明はこれに限られず、例えば、２つの長辺側の端面を光入射面としてもよいし、１つ又は２つの短辺側の端面を光入射面としてもよい。  （２）上記実施形態では、光反射・散乱パターンを構成する各ドット部は、平面視円形状をなしていたが、本発明はこれに限られず、多角形状、楕円形状、不規則な形状等の他の形状であってもよい。  （３）上記各実施形態では、一次光を出射する光源として青色の単色光を発するＬＥＤを用いた場合を示したが、光源として青色以外の色の光を発するＬＥＤを用いることも可能である。例えば、マゼンタ色の光を一次光として発するＬＥＤを用いることができる。この場合、蛍光体チューブ（波長変換部材、波長変換部）に含有させる蛍光体として緑色蛍光体を用いれば、照明装置の出射光を白色化することができる。そして、その場合、補色ドット部は、緑色を呈するように設定される。  （４）上記（３）以外にも、紫色の光を一次光として発するＬＥＤを光源として用いることができる。この場合、蛍光体チューブ（波長変換部材、波長変換部）に含有させる蛍光体として黄色蛍光体及び緑色蛍光体を所定の含有比率でもって用いれば、照明装置の出射光を白色化することができる。そして、その場合、補色ドット部は、紫色と補色の関係にある色を呈するように設定される。  （５）上記（３），（４）以外にも、シアン色の光を一次光として発するＬＥＤを光源として用いることができる。この場合、蛍光体チューブ（波長変換部材、波長変換部）に含有させる蛍光体として赤色蛍光体を用いれば、照明装置の出射光を白色化することができる。そして、その場合、補色ドット部は、シアン色と補色の関係にある色（赤色）を呈するように設定される。  （６）蛍光体チューブ（波長変換部材、波長変換部）に含まれる蛍光体として用いた量子ドット蛍光体は、コア・シェル型であってもよいし、内部組成を単一組成としたコア型量子ドット蛍光体であってもよい。  （７）上記各実施形態では、蛍光体チューブ（波長変換部材、波長変換部）に、蛍光体として、量子ドット蛍光体を含有させていたが、他の実施形態においては、他の種類の蛍光体を蛍光体チューブ（波長変換部材、波長変換部）に含有させるようにしても構わない。例えば、蛍光体チューブ（波長変換部材、波長変換部）に含有させる蛍光体として硫化物蛍光体を用いることができ、具体的には緑色蛍光体としてＳｒＧａ２Ｓ４：Ｅｕ２＋を、赤色蛍光体として（Ｃａ，Ｓｒ，Ｂａ）Ｓ：Ｅｕ２＋を、それぞれ用いることが可能である。  （８）上記（７）以外にも、蛍光体チューブ（波長変換部材）に含有させる緑用蛍光体を、（Ｃａ，Ｓｒ，Ｂａ）３ＳｉＯ４：Ｅｕ２＋、β−ＳｉＡｌＯＮ：Ｅｕ２＋、Ｃａ３Ｓｃ２Ｓｉ３Ｏ１２：Ｃｅ３＋等とすることができる。また、蛍光体チューブ（波長変換部材）に含有させる赤色用蛍光体を、（Ｃａ，Ｓｒ，Ｂａ）２ＳｉＯ５Ｎ８：Ｅｕ２＋、ＣａＡｌＳｉＮ３：Ｅｕ２＋等と��ることができる。さらには、蛍光体チューブ（波長変換部材）に含有させる黄色用蛍光体を、（Ｙ，Ｇｄ）３（Ａｌ，Ｇａ）５Ｏ１２：Ｃｅ３＋（通称 ＹＡＧ：Ｃｅ３＋）、α−ＳｉＡｌＯＮ：Ｅｕ２＋、（Ｃａ，Ｓｒ，Ｂａ）３ＳｉＯ４：Ｅｕ２＋等とすることができる。それ以外にも、蛍光体チューブ（波長変換部材）に含有させる蛍光体として、複フッ化物蛍光体（マンガン付活のケイフッ化カリウム（Ｋ２ＴｉＦ６）等）を用いることも可能である。  （９）上記（７），（８）以外にも、蛍光体チューブ（波長変換部材、波長変換部）に含有させる蛍光体として有機蛍光体を用いることができる。有機蛍光体としては、例えばトリアゾール又はオキサジアゾールを基本骨格とした低分子の有機蛍光体を用いることができる。  （１０）上記した（７），（８），（９）以外にも、蛍光体チューブ（波長変換部材、波長変換部）に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。  （１１）上記各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰ等を用いることも可能である。  （１２）上記各実施形態では、蛍光体チューブ（波長変換部材、波長変換部）に含有させる蛍光体として、青色光（一次光）により励起して緑色光（二次光）を放出する緑色蛍光体と、青色光（一次光）により励起して赤色光（二次光）を放出する赤色蛍光体とが利用されていたが、本発明はこれに限られず、例えば、一次光としての青色光により励起して、二次光として黄色光を放出する黄色蛍光体が利用されてもよい。本発明の波長変換部材は、蛍光体として、一次光としての青色光により励起して、二次光として緑色光を放出する緑色蛍光体と、一次光としての青色光により励起して、二次光として赤色光を放出する赤色蛍光体と、一次光としての青色光により励起して、二次光として黄色光を放出する黄色蛍光体とのうち、少なくとも１つを含有するものであればよい。なお、黄色蛍光体としては、例えば、（Ｙ，Ｇｄ）３ （Ａｌ，Ｇａ）５Ｏ１２：Ｃｅ３+（通称 ＹＡＧ：Ｃｅ３+）、α−ＳｉＡｌＯＮ：Ｅｕ２+、（Ｃａ，Ｓｒ，Ｂａ）３ＳｉＯ４：Ｅｕ２+等が挙げられる。  （１３）上記実施形態では、波長変換機能を備えた蛍光体を含む補色部材２３と、一次光を選択的に吸収する補色部材２３Ａとをそれぞれ別々に使用したが、本発明はこれに限られず、例えば、補色部材２３と、補色部材２３Ａとを併用してもよい。
【０１８４】  （１４）上記した各実施形態では、主波長変換部の封止部設置端側部分が導光板の非入光側端面に対して入光端面の長さ方向について外側に突き出す配置とされる場合を示したが、主波長変換部の封止部設置端側部分が導光板の非入光側端面に対してＸ軸方向について内側に引っ込む配置（重ならない配置）とされていても構わない。その場合、導光板の非入光側端面に副波長変換部を設けると、その副波長変換部は、封止部設置端側部分に対して入光端面の長さ方向について外側に配されることになる。  （１５）上記した各実施形態では、主波長変換部の封止部非設置端側部分が導光板の非入光側端面に対して入光端面の長さ方向について内側に引っ込む配置（重ならない配置）とされる場合を示したが、主波長変換部の封止部非設置端側部分が導光板の非入光側端面に対してＸ軸方向について外側に突き出す配置とされていても構わない。その場合、導光板の非入光側端面に副波長変換部を設けると、その副波長変換部は、封止部非設置端側部分に対して入光端面の長さ方向について重なる配置となる。  （１６）上記した各実施形態以外にも、主波長変換部の封止部設置端側部分及び封止部非設置端側部分とＬＥＤとの入光端面の長さ方向についての位置関係は、適宜に変更可能である。  （１７）上記した実施形態８〜２０，２３では、副波長変換部及び端面反射部材が導光板の非入光側端面における全域（全長及び全高さ）にわたってそれぞれ配される場合を示したが、副波長変換部及び端面反射部材が導光板の非入光側端面における長さ方向または高さ方向の一部にそれぞれ配されるようにしても構わない。その場合、副波長変換部及び端面反射部材を、非入光側端面のうちＬＥＤに近い側の部分に優先的に配置するのが好ましい。それ以外にも、導光板の外周端面のうち、四隅の角部に対して副波長変換部及び端面反射部材が選択的に重なる構成を採ることも可能である。また、端面反射部材を省略することも可能である。  （１８）上記した実施形態８〜２０，２３では、副波長変換部及び端面反射部材がほぼ同じ大きさとされる場合を示したが、副波長変換部及び端面反射部材の大きさを互いに異ならせることも可能である。その場合、副波長変換部を端面反射部材よりも大きくすることもできるが、端面反射部材を副波長変換部よりも大きくすることも可能である。  （１９）上記した実施形態１１では、導光板の出光板面に配置した出光板面副波長変換部及び出光板面端面反射部材がほぼ同じ大きさとされる場合を示したが、出光板面副波長変換部及び出光板面端面反射部材の大きさを互いに異ならせることも可能である。その場合、出光板面副波長変換部を出光板面端面反射部材よりも大きくすることもできるが、出光板面端面反射部材を出光板面副波長変換部よりも大きくすることも可能である。特に、出光板面副波長変換部を出光板面端面反射部材よりも大きくする場合には、出光板面副波長変換部を部分的に有効発光領域と重畳する配置とすることも可能である。  （２０）上記した実施形態２１，２２以外にも、入光端面に設けた副波長変換部と、主波長変換部の封止部設置端側部分及び封止部非設置端側部分と、ＬＥＤと、の入光端面の長さ方向についての位置関係は、適宜に変更可���である。  （２１）上記した実施形態１１に記載した、出光板面に出光板面副波長変換部及び出光板面端面反射部材を設ける構成を、実施形態８〜２０，２３に記載した副波長変換部及び端面反射部材に置き換えて設置することも可能である。具体的には、導光板の出光板面のうち、主波長変換部の封止部設置端側部分と封止部非設置端側部分とのいずれか一方または両方に対して入光端面の長さ方向について重なり合う部分に出光板面副波長変換部及び出光板面端面反射部材を設けることができる。  （２２）上記した実施形態１１に記載した、主波長変換部の配置及び出光板面に出光板面副波長変換部及び出光板面端面反射部材を設ける構成を、実施形態２１，２２に記載した構成に組み合わせることも可能である。  （２３）上記した実施形態２１に記載した、入光端面に副波長変換部を設ける構成を、実施形態８などに記載した構成に組み合わせることも可能である。  （２４）上記した実施形態２２に記載した、入光端面に一対の副波長変換部を設ける構成を、実施形態９〜１１などに記載した構成に組み合わせることも可能である。特に、実施形態１１と実施形態２２とを組み合わせる場合には、入光端面における長さ方向の両端位置に副波長変換部をそれぞれ設置するのに加えて、入光端面における長さ方向の中央位置にも副波長変換部を設置するのが好ましい。  （２５）上記した実施形態２３に記載した構成に、実施形態１１，２２に記載した構成を組み合わせることも可能である。  （２６）上記した実施形態１６に記載した主波長変換部の保持構造を、実施形態９〜１５，１７〜２３に記載した構成に組み合わせることも可能である。  （２７）上記した（２２）〜（２６）以外にも、各実施形態に記載した構成を適宜に組み合わせることも可能である。  （２８）上記した各実施形態以外にも、主波長変換部が入光端面の長さ方向に沿って３本以上並ぶ構成を採ることも可能である。  （２９）上記した各実施形態では、片端側のみが封止部により封止された片側封止構造の主波長変換部を用いた場合を示したが、両端側部分がそれぞれ封止部により封止された両側封止構造の主波長変換部を用いた場合にも本発明は適用可能である。  （３０）上記した各実施形態（実施形態２１，２２を除く）では、端面反射部材を設けるようにした場合を例示したが、端面反射部材を省略するとともに、シャーシのうち少なくとも側部を光の反射性に優れた白色などとし、当該側部により副波長変換部を透過した光を反射して導光板側に戻すような構成を採ることも可能である。つまり、副波長変換部に対してシャーシのうちの光反射性を有する側部を外側（非入光端面側とは反対側）に重なる形で配すれば、端面反射部材を省略することが可能となる。その場合、光反射性を有する側部を副波長変換部に対して接する形で配置するのが好ましいものとされる。
【符号の説明】
【０１８５】  １０...液晶表示装置（表示装置）、１２...照明装置（バックライト装置）、１３...ベゼル、１４...シャーシ、１５...光学部材、１６...フレーム、１７...ＬＥＤ（光源）、１７０...ＬＥＤ列（光源列）、１８...ＬＥＤ基板、１９...導光板、１９ａ...光出射面、１９ｂ...裏面、１９ｃ...光入射面、２０...反射シート（反射部材）、２１...弾性部材、２２０...光反射・散乱パターン、２２...ドット部、２２ａ...補色ドット部、２２ｂ...白色ドット部、３０...蛍光体チューブ（波長変換部材）、３１...波長変換部、３２...収容部、３４，３５...封止端部（非波長変換部）
【図１】
2017051845.tif 000003
【図２】
2017051845.tif 000004
【図３】
2017051845.tif 000005
【図４】
2017051845.tif 000006
【図５】
2017051845.tif 000007
【図６】
2017051845.tif 000008
【図７】
2017051845.tif 000009
【図８】
2017051845.tif 000010
【図９】
2017051845.tif 000011
【図１０】
2017051845.tif 000012
【図１１】
2017051845.tif 000013
【図１２】
2017051845.tif 000014
【図１３】
2017051845.tif 000015
【図１４】
2017051845.tif 000016
【図１５】
2017051845.tif 000017
【図１６】
2017051845.tif 000018
【図１７】
2017051845.tif 000019
【図１８】
2017051845.tif 000020
【図１９】
2017051845.tif 000021
【図２０】
2017051845.tif 000022
【図２１】
2017051845.tif 000023
【図２２】
2017051845.tif 000024
【図２３】
2017051845.tif 000025
【図２４】
2017051845.tif 000026
【図２５】
2017051845.tif 000027
【図２６】
2017051845.tif 000028
【図２７】
2017051845.tif 000029
【図２８】
2017051845.tif 000030
【図２９】
2017051845.tif 000031
【図３０】
2017051845.tif 000032
【図３１】
2017051845.tif 000033
【図３２】
2017051845.tif 000034
【図３３】
2017051845.tif 000035
【図３４】
2017051845.tif 000036
【図３５】
2017051845.tif 000037
【図３６】
2017051845.tif 000038
【図３７】
2017051845.tif 000039
【図３８】
2017051845.tif 000040
【図３９】
2017051845.tif 000041
【図４０】
2017051845.tif 000042
【図４１】
2017051845.tif 000043
【図４２】
2017051845.tif 000044
【図４３】
2017051845.tif 000045
【図４４】
2017051845.tif 000046
【図４５】
2017051845.tif 000047
【図４６】
2017051845.tif 000048
【図４７】
2017051845.tif 000049
【図４８】
2017051845.tif 000050
【図４９】
2017051845.tif 000051
【図５０】
2017051845.tif 000052
【図５１】
2017051845.tif 000053
【図５２】
2017051845.tif 000054
【図５３】
2017051845.tif 000055
【図５４】
2017051845.tif 000056
【図５５】
2017051845.tif 000057
【図５６】
2017051845.tif 000058
【国際調査報告】
2017051845.tif 000059
2017051845.tif 000060
2017051845.tif 000061
2017051845.tif 000062